(57)【特許請求の範囲】
【請求項１】
押し込み操作を行うための押し込み操作部と、
光を発光する第１の発光手段とこの第１の発光手段からの光を受光する第１の受光手段とを有する第１の光スイッチと、光を発光する第２の発光手段とこの第２の発光手段からの光を受光する第２の受光手段とを有する第２の光スイッチと、を有し、前記押し込み操作部の操作状態を検出して、送気、送水、吸引のうち、少なくとも１つを制御するための制御信号を出力する操作状態検出手段と、
を備える操作スイッチを有し、
前記押し込み操作部は、この押し込み操作部の押し込み操作に対応して前記操作状態検出手段の第１の光スイッチの第１の発光手段と第１の受光手段との間に移動して第１の発光手段から第１の受光手段に照射される光を遮光する遮光板と、前記操作状態検出手段の第２の光スイッチの第２の発光手段から発光された光を前記押し込み操作部の押し込み操作量に応じた光量で前記第２の受光手段に反射する反射板とを有し、
前記操作状態検出手段は、
前記押し込み操作部の遮光板が前記押し込み操作部の操作に対応して前記操作状態検出手段の第１の光スイッチの第１の発光手段と第１の受光手段との間に移動したときに、前記第１の受光手段が出力する第１の受光出力のうち前記遮光板の移動前及び移動後における第１の受光出力を、第１の制御信号として出力するとともに、
前記押し込み操作部の反射板が前記押し込み操作部の押し込み操作量に応じて移動することにより変化する前記第２の受光手段が出力する第２の受光出力を、第２の制御信号として出力することを特徴とする内視鏡装置。
【請求項２】
前記操作状態検出手段は、前記遮光板の移動方向に沿って前記第１の光スイッチと直列に配置され、光を発光する第３の発光手段とこの第３の発光手段からの光を受光する第３の受光手段とを有する第３の光スイッチをさらに備え、
前記押し込み操作部の遮光板は、前記押し込み操作部の第１段目の押し込み操作に対応して前記操作状態検出手段の第１の光スイッチの第１の発光手段と第１の受光手段との間に移動して第１の発光手段から第１の受光手段に照射される光を遮光するとともに、当該押し込み操作部の第２段目の押し込み操作に対応して前記操作状態検出手段の第３の光スイッチの第３の発光手段と第３の受光手段との間に移動して第３の発光手段から第３の受光手段に照射される光を遮光するものであり、
前記操作状態検出手段は、
前記押し込み操作部の遮光板が前記押し込み操作部の第１段目の押し込み操作に対応して前記操作状態検出手段の第１の光スイッチの第１の発光手段と第１の受光手段との間に移動したときに、前記第１の受光手段が出力する第１の受光出力のうち前記遮光板の移動前及び移動後における第１の受光出力を、第１の制御信号として出力するとともに、
前記押し込み操作部の遮光板が前記押し込み操作部の第２段目の押し込み操作に対応して前記操作状態検出手段の第３の光スイッチの第３の発光手段と第３の受光手段との間に移動したときに、前記第３の受光手段が出力する第３の受光出力のうち前記遮光板の移動前及び移動後における第３の受光出力を、第３の制御信号として出力することを特徴とする請求項１に記載の内視鏡装置。
【請求項３】
吸引動作を制御する吸引スイッチと、
前記吸引スイッチからの吸引制御信号が連続可変に出力される構成と、
前記吸引制御信号が、アナログ信号をデジタル信号に変換するＡ／Ｄ変換手段を有するスイッチ信号処理手段によりデジタル信号とされ、送気／送水、画像コピー、画像フリーズ、所定外電流検出信号のうちの少なくとも一つ以上の信号と混在されて時系列的に操作スイッチ信号として出力される構成とを備えることを特徴とする請求項２に記載の内視鏡装置。
【請求項４】
前記操作スイッチ信号は、シリアル出力であることを特徴とする請求項３に記載の内視鏡装置。
【請求項５】
前記スイッチ信号処理手段は、
前記操作スイッチが備える発光手段の電源系及びグランド系をＯＮ／ＯＦＦ可能な自己診断スイッチ回路を有し、
前記ＯＮ／ＯＦＦによる各前記操作スイッチからの信号を検出することにより自己診断が可能な構成を有することを特徴とする請求項２又は請求項３に記載の内視鏡装置。
【発明の詳細な説明】
【０００１】
【発明の属する技術分野】
本発明は、送気、送水、吸引等の流量を制御する内視鏡装置に関する。
【０００２】
【従来の技術】
従来の内視鏡装置としては、機械バルブ方式（メカバルブ方式）、或いは電磁方式により送気、送水、吸引を行うものが知られている。
【０００３】
［メカバルブ方式の内視鏡装置］
（構成）
まず、特開平９−１２２０６９号の公報に開示されている内視鏡用管路切換え装置等に代表されるメカバルブ方式の内視鏡装置の構成を図２５に示す。この図２５は、内視鏡装置の操作部に設けられているスイッチ（送気送水バルブ）を縦割りにした状態の断面図であり、二点鎖線で示すセンターラインの紙面左側がピストン部２３２の自然状態（非操作状態）を、センターラインの紙面右側がピストン部２３２の押し込み状態（操作状態）を示している。
【０００４】
この図２５において、送気送水バルブは、ケーシング２３３に穿設された取り付け孔２３４にシリンダ部２３１が固定して設けられており、このシリンダ部２３１に対してピストン部２３２が着脱自在に嵌挿されている。シリンダ部２３１は、段差のある金属製の略円筒状のシリンダ２３５を有している。このシリンダ２３５の側壁には、開口側から底部側に向かって順に、内視鏡先端部の図示しない送気送水ノズルに連通する気体出口である送気管路２３６と、ビデオプロセッサ等の外部装置との接続を図る連結コード端部のコネクタに連通する気体入口である送気管路２３７と、送気送水ノズルに連通する液体出口である送水管路２３８と、送水タンク及び送水管に連通する液体入口である送水管路２３９とが設けられている。
【０００５】
シリンダ２３５の開口部の端部にはネジ部２４０が設けられており、このネジ部２４０に前記ケーシング２３３の外側から口金２４１をねじ込むことにより、内外両側からケーシング２３３を挟み込むかたちでシリンダ２３５が固定されている。口金２４１の外周部には、口金２４１を回転させるための治具を嵌入可能な治具孔２４２が設けられている。
【０００６】
ピストン部２３２は、金属又は剛性樹脂等の剛性を有する材料からなる略円筒状のピストン本体２４５を有している。このピストン本体２４５の内部には、長手軸方向に連通路２４６が設けられており、この連通路２４６の下端部には側方向に開口する開口部２４７が形成されている。
【０００７】
開口部２４７の上部のピストン本体２４５には、弾性部材からなる弁体２４８がインサート成形されている。ピストン本体２４５の上端部には、抜け止め筐体２４９及び押さえ部材２５０が螺合しており、抜け止め筐体２４９とピストン本体２４５との間でシール部支持部材２５１を挟持している。シール部支持部材２５１には、側部に周回状にシール部材２５３がインサート成形されており、下端部にスライダ２５２が設けられている。
【０００８】
ピストン本体２４５の下端部には、押さえ部材２５４が螺合しており、押さえ部材２５４とピストン本体２４５との間でシール部支持部材２５５を挟持している。この押さえ部材２５４には、側部に周回状にシール部材２５６がインサート成形されており、また、シール部支持部材２５５にも同様に、側部に周回状にシール部材２５８がインサート成形され、下端部にスライダ２５７が設けられている。
【０００９】
ピストン本体２４５の上端部の抜け止め筐体２４９の外側には、円筒状のピストンストッパ２６０が設けられており、抜け止め筐体２４９の下端部のフランジ部２４９ａとピストンストッパ２６０内面のフランジ部２６０ａとが当接するようになっている。ピストンストッパ２６０のフランジ部２６０ａ上面と押さえ部材２５０の下面との間には、コイルスプリングからなる付勢バネ２６１が介装されている。この付勢バネ２６１の付勢力によって押さえ部材２５０は上方に、また、ピストンストッパ２６０は下方にそれぞれ付勢されており、自然状態（非操作状態）において抜け止め筐体２４９のフランジ部２４９ａがピストンストッパ２６０のフランジ部２６０ａに当接してピストン本体２４５を係止している。さらに、ピストンストッパ２６０の外側には、絶縁部材からなる囲い部材２６２が一体的に設けられており、この囲い部材２６２の内面の突出部２６２ａが前記口金２４１の上部フランジ２４１ａと係合している。
【００１０】
ピストン本体２４５の上端部には、識別ピン２５９が螺合しており、押さえ部材２５０の外周部には指当て部材２６３が接着固定されている。この指当て部材２６３の中央部には、ピストン本体２４５の連通路２４６と連通したリーク孔２６４が設けられている。指当て部材２６３と囲い部材２６２は、ピストン部２３２が自然状態及び押し込み状態のいずれの状態においても指当て部材２６３と囲い部材２６２の上端部との間に常に隙間が保たれるように配設されている。
【００１１】
（非操作時）
このような構成を有する送気送水バルブは、図２５のセンターラインの紙面左側に示すように自然状態（非操作状態）においては、ピストン本体２４５が付勢バネ２６１の付勢力によって押し上げられ、下側のシール部材２５６のシール部２５６ａによって送水管路２３８と送水管路２３９との間が遮断され、送水タンクから送水管路２３９を介して送水管路２３８に送出される流体の流れが遮断された状態となっている。また、ポンプから送出される気体は、送気管路２３７を介してピストン本体２４５の側面に位置する開口部２４７に流入し、ピストン本体２４５の連通路２４６を介して指当て部材２６３のリーク孔２６４から大気に流出した状態となっている。
【００１２】
（送気動作）
この自然状態において、操作者が、指当て部材２６３のリーク孔２６４に指を当てて塞ぐと、弁体２４８が気体の送出圧力により内側に折り曲げられ、シリンダ２３５の内壁面からシール部２４８ａ離間する。この結果、送気管路２３７から流出した気体は、中間のシール部材２５８のシール部２５８ａと上側のシール部材２５３のシール部材２５３ａによって形成されるシリンダ２３５内の流路を介して送気管路２３６から流出する。これにより、挿入部先端の送気送水ノズルから送気が行われる。
【００１３】
（送水動作）
次に、指当て部材２６３を指で押圧し、ピストン本体２４５を付勢バネ２６１の付勢力に抗して押し込むと共に、リーク孔２６４に指を添えて塞ぐと、図２５のセンターラインの紙面右側に示すように、弁体２４８のシール部２４８ａがシリンダ２３５のテーパ面２３５ａに圧接され、中間のシール部材２５８のシール部２５８ａとの間が気密となり、気体の流路が遮断される。このとき、下側のシール部材２５６のシール部２５６ａは、シリンダ２３５の下側の太径部２３５ｂに移動し、シリンダ２３５の内壁面との間に間隙が形成される。この結果、送水管路２３９から流出した液体は、中間のシール部材２５８のシール部２５８ａによって形成されるシリンダ２３５内の流路を介して送水管２３８から送出される。これにより、挿入部先端の送気送水ノズルから送水が行われることとなる。
【００１４】
［電磁方式］
次に、電磁方式の内視鏡装置としては、特開昭５６−７５１３１号の公報に開示されている内視鏡装置等が知られている。この公報には、電気スイッチを用いた図２６〜図２８に示すような３つの内視鏡装置が開示されている。
【００１５】
（第１の弁体突入型の内視鏡装置）
以下、各内視鏡装置について説明すると、まず、図２６は、内視鏡本体３０１の操作部３０２に電気スイッチ３１５として設けられている感圧導電ゴム３１９により検出された押圧力に応じて、外部装置３０８に設けられている送気管３０４に突入させる弁体３２２の突入量を可変することで、送気管３０４を流れる気体の流量を可変する第１の弁体突入型の内視鏡装置を示している。
【００１６】
このような第１の弁体突入型の内視鏡装置に設けられている電気スイッチ３１５は、基板３１７上に設けられた一対の電極３１８間に感圧導電ゴム３１９を設けることで形成されている。感圧導電ゴム３１９は、例えばシリコンゴムの中に金属粒子や炭素粒子を混在することで形成されており、外圧が加わると全体的な抵抗値が変化するようになっている。
【００１７】
操作者がこの感圧導電ゴム３１９に圧力を加えない状態では、各電極３１８間の電気抵抗値は大きな値を示し、各電極３１８間に電流は流れない。これに対して、操作者がこの感圧導電ゴム３１９に所望の圧力を加えると、この加えた圧力に応じて各電極３１８間の電気抵抗値が変化し、各電極３１８間に流れる電流量が変化する。各電極３１８は、リード線３２０を介してサーボモータ駆動回路３２１に接続されており、サーボモータ駆動回路３２１は、各電極３１８からリード線３２０を介して供給される電流量に応じてサーボモータ３２５の回転位置を制御する。
【００１８】
サーボモータ３２５の回転軸３２６にはカム３２４が設けられており、このカム３２４が、サーボモータ駆動回路３２１により制御された回転位置に回転制御されることで、送気管３０４内に突入される弁体３２２の突入量が制御されるようになっている。すなわち、弁体３２２は、コイルバネ３２３により送気管３０４に対して上昇待避するように付勢されているのであるが、サーボモータ３２５は、各電極３１８からリード線３２０を介して供給される電流量に応じてサーボモータ３２５を介してカム３２４の回転位置を制御することで、送気管３０４内に突入される弁体３２２の突入量を制御する。これにより、電気スイッチ３１５の操作（感圧導電ゴム３１９に印加される圧力）に応じて、電気的に送気管３０４内の気体の流量を可変することができる。
【００１９】
（第２の弁体突入型の内視鏡装置）
次に、図２７は、内視鏡本体３０１の操作部３０２に電気スイッチ３２８として設けられている調整レバー３３０の操作に永久磁石３３１を連動させ、磁気抵抗素子３３２の電気抵抗値を変化させることで、外部装置３０８に設けられている送気管３０４に突入させる弁体３３５の突入量を可変して送気管３０４を流れる気体の流量を可変する第２の弁体突入型の内視鏡装置を示している。
【００２０】
このような第２の弁体突入型の内視鏡装置に設けられている電気スイッチ３２８は、スライド操作される調整レバー３３０に、磁気抵抗素子３３２に対して対抗するように永久磁石３３１が固定して設けられている。磁気抵抗素子３３２は、当該磁気抵抗素子３３２を通過する磁束が増大すると、内部の電流通路が長くなり電気抵抗値が増大する特性を有している。このため、操作者が調整レバー３３０をスライド操作すると、この操作量に応じて磁気抵抗素子３３２の電気抵抗値が変化する。
【００２１】
磁気抵抗素子３３２には、サーボモータ駆動回路３３４が接続されており、サーボモータ駆動回路３３４は、磁気抵抗素子３３２の電気抵抗値に応じて、すなわち、調整レバー３３０の操作量に応じて弁体３３５に設けられた電磁石３３６の電磁コイル３３７に電流を供給する。
【００２２】
弁体３３５は、コイルバネ３３９によって押し上げられるように付勢されており、調整レバー３３０の操作量に応じてサーボモータ駆動回路３３４により駆動される電磁石３３６により、送気管３０４内に挿入制御され、或いは送気管３０４内から待避制御される。これにより、電気スイッチ３２８の操作に応じて、送気管３０４の断面積を可変することができ、電気的に送気管３０４内の気体の流量を可変することができる。なお、磁気抵抗素子３３２の代わりにホール素子を用いても同様の効果を得ることができる。
【００２３】
（通気管連通型の内視鏡装置）
次に、図２８は、内視鏡本体３０１の操作部３０２に電気スイッチ３４０として設けられている調整レバー３４６の操作に連動する遮光板３４５により、ライトガイド３４４から受光素子３４１に照射される光の光量を可変し、この受光素子３４１の受光光量に応じて、送気管３０４を大気にリークさせる通気管３５０のリーク量を可変することで、送気管３０４を流れる気体の流量を可変する通気管連通型の内視鏡装置を示している。
【００２４】
このような通気管連通型の内視鏡装置は、操作部３０２内にライトガイド３４４を導いており、ライトガイド３４４からの光が受光素子３４１に照射されるように、ライトガイド３４４と受光素子３４１とが相対向して設けられている。遮光板３４５は、このライトガイド３４４と受光素子３４１との対向間に挿入されるように設けられており、調整レバー３４６のスライド操作に応じて、ライトガイド３４４から受光素子３４１の照射される光を遮光するようになっている。
【００２５】
サーボモータ駆動回路３５４は、この受光素子３４１の受光光量に応じて外部装置３０８のサーボモータ３４７を回転駆動する。サーボモータ３４７の回転軸３４８にはカム３４９が設けられており、このカム３４９は、サーボモータ３４７の回転制御に応じて、通気管３５０の弁体３５１を挿入制御及び待避制御するようになっている。
【００２６】
通気管３５０は、送気管３０４内の気体を大気にリークさせている。弁体３５１は、コイルバネ３５２により押し上げられるように付勢されている。カム３４９は、サーボモータ３４７の回転制御に応じて、通気管３５０の弁体３５１を挿入制御及び待避制御する。これにより、弁体３５１により通気管３５０の断面積が可変され、送気管３０４内の気体の大気へのリーク量が可変されることとなる。従って、電気スイッチ３４０の操作に応じて、電気的に送気管３０４内の気体の流量を可変することができる。
【００２７】
ここで、外部装置３０８の送気管路及び送水管路は、図２９に示すようになっており、送気及び送水は同じポンプ３７０を共用して行うようになっている。すなわち、送気を行う場合は、上述のように通気管３５０の弁体３５１を挿入制御及び待避制御することで、送気管３０４に流れる気体の流量を調整しながら行う。
【００２８】
また、送水を行う場合は、通気管３５０の弁体３５１を挿入制御及び待避制御することで、送水ボトル３７１内に供給する気体の流量を可変して送水ボトル３７１の内圧を可変する。これにより、送水ボトル３７１内の水が、送水ボトル３７１の内圧に応じ送水管３７２を介して押し出され送水されることとなる。
【００２９】
（ポンプ制御型の内視鏡装置）
次に、内視鏡本体の操作部に設けられた電気スイッチによって、送気を行うポンプの回転数を制御することで送気管内の気体の流量を可変するポンプ制御型の内視鏡装置も知られている。この場合、制御回路は、ポンプに供給する電力を可変制御する。これにより、ポンプの回転数を制御することができ、送気管内の気体の流量を可変することができる。
【００３０】
なお、このような特開昭５６−７５１３１号の公報には、上述の各電気スイッチにおいて、回転式又はスライド式の連続可変抵抗器で抵抗値を可変し、或いは抵抗値が段階的に設定された抵抗器をそれぞれ設け、この中から適切な抵抗値の抵抗器を選択してもよい旨、開示されている。
【００３１】
また、第１、第２の弁体突入型、通気管連通型及びポンプ制御型の各内視鏡装置の説明では、送気を例にとって説明したが、送水、吸引についても同様に制御可能となっている。
【００３２】
【発明が解決しようとする課題】
しかし、このような従来の内視鏡装置には、以下の問題点がある。
【００３３】
（メカバルブ方式の問題点）
図２５を用いて説明したメカバルブ方式の内視鏡装置の場合、送気送水バルブに設けられているリーク孔２６４の開閉量を指で調整することで送気送水調整を行うようになっているため、熟練者でなければ該開閉量の微調整が困難となる問題があった。また、送気管路２３６、２３７及び送水管路２３８、２３９等を当該送気送水バルブと一体的に形成する必要があった。このため、内視鏡スコープ内部に設けられた管路が複雑化し、管路の洗浄性が悪かった。そして、機構が複雑化し内視鏡スコープの手元操作部に設けられたスイッチ自体が大型化及び重量化するため、それに伴い手元操作部が大型化及び重量化し、内視鏡装置の操作性に支障を来す問題があった。
【００３４】
内視鏡装置においては、更なる小型化が求められており、この要望に答えるためには構成の簡略化及び小型軽量化が可能な電気スイッチを採用することが好ましい。ただ、従来より存在する送気送水バルブの操作にユーザは慣れているため、ユーザは、近年提供されている電気スイッチの操作に違和感を覚える傾向にある。構成の簡略化等が可能な電気スイッチの利点を生かしたうえで、ユーザが慣れ親しんでいる送気送水バルブの操作と同様の操作で送気、送水、吸引を可能とすることができれば、送気送水バルブから電気スイッチへの移行もスムーズに行えることとなる。
【００３５】
（電磁方式の問題点）
図２６、図２７を用いて説明した第１、第２の弁体突入型の各内視鏡装置は、送気管３０４に弁体３２２、３３５を挿入、待避制御することで、送気管３０４の断面積を可変して気体の流量を可変するようになっているのであるが、送気管３０４の断面積だけを可変しても送気管３０４内の気圧が変わることはないため、結局、気体の流量の変化が少なくなり、適切な流量を得ることができない。
【００３６】
また、図２８を用いて説明した通気管連通型の内視鏡装置は、送気管３０４が内視鏡の送気口や送水口に直接接続されているため、単に通気管３５０により送気管３０４内の気体を大気にリークするだけでは、微妙に送気、送水、吸引が行われることとなり、操作者の意図しない動作（送気、送水、吸引）が行われる虞があり、安全性に乏しい問題がある。
【００３７】
また、ポンプ制御型の内視鏡装置は、ポンプの回転数を制御することで送気管内の気体の流量を可変するようになっているため、ポンプの回転数を制御して送気管内の気体の流量が所望の流量になるまでに多少の時間を必要とし、操作してからの応答性が悪い問題があった。
【００３８】
また、従来の電磁方式の内視鏡装置は、図２６に示すように送気管３０４が内視鏡の送気口や送水口に直接接続されているため、電気スイッチを採用しているにも拘わらず、送気、送水、吸引の微調整を含め、正確な調整を行うことができず、例えば送気を行うか否かの操作しかできない、いわばオン／オフのみの操作となっているのが現状であった。
【００３９】
また、通気管３５０により、送気管３０４内の気体が直接的に大気とリークしているため、送水開始直後は、送水ボトル３７１の内圧が上がらず、勢いの無い送水となる問題があった。送水に勢いが無いと、スコープ先端部の洗浄性が悪くなる問題を生ずる。また、通気管３５０により、送気管３０４内の気体が直接的に大気とリークしているため、送水停止後に再度送水を行う際には、送水ボトル３７１の内圧が上がるまでは十分な送水を行うことができず、何度も送水を行いスコープ先端部の洗浄を行う必要があった。
【００４０】
また、電気スイッチとして採用された調整レバーは、スライド操作を行うが、その他のスイッチ（フリーズスイッチ等）が邪魔になり、操作性が悪かった。
【００４１】
本発明は、上述の課題に鑑みてなされたものであり、このような各問題点を解決可能な内視鏡装置の提供を目的とする。
【００４２】
【課題を解決するための手段】
本発明に係る内視鏡装置は、上述の課題を解決するための手段として、押し込み操作を行うための押し込み操作部と、光を発光する第１の発光手段とこの第１の発光手段からの光を受光する第１の受光手段とを有する第１の光スイッチと、光を発光する第２の発光手段とこの第２の発光手段からの光を受光する第２の受光手段とを有する第２の光スイッチと、を有し、前記押し込み操作部の操作状態を検出して、送気、送水、吸引のうち、少なくとも１つを制御するための制御信号を出力する操作状態検出手段と、を備える操作スイッチを有し、前記押し込み操作部は、この押し込み操作部の押し込み操作に対応して前記操作状態検出手段の第１の光スイッチの第１の発光手段と第１の受光手段との間に移動して第１の発光手段から第１の受光手段に照射される光を遮光する遮光板と、前記操作状態検出手段の第２の光スイッチの第２の発光手段から発光された光を前記押し込み操作部の押し込み操作量に応じた光量で前記第２の受光手段に反射する反射板とを有し、前記操作状態検出手段は、前記押し込み操作部の遮光板が前記押し込み操作部の操作に対応して前記操作状態検出手段の第１の光スイッチの第１の発光手段と第１の受光手段との間に移動したときに、前記第１の受光手段が出力する第１の受光出力のうち前記遮光板の移動前及び移動後における第１の受光出力を、第１の制御信号として出力するとともに、前記押し込み操作部の反射板が前記押し込み操作部の押し込み操作量に応じて移動することにより変化する前記第２の受光手段が出力する第２の受光出力を、第２の制御信号として出力することを特徴とする。
【００４９】
【発明の実施の形態】
以下、本発明に係る内視鏡装置の好ましい実施の形態について図面を参照しながら詳細に説明する。
【００５０】
［第１の実施の形態］
（第１の実施の形態の電気スイッチの構成）
本発明の第１の実施の形態の内視鏡装置は、操作部に設けられる吸引スイッチとして図１に示すような電気スイッチを有している。図１は、この吸引スイッチの断面図なのであるが、この図１において、当該吸引スイッチは、スイッチ本体３０内にシリンダ３１を挿入係合させることで形成されている。シリンダ３１の上端部には、断面略Ｔの字状のフランジ構造を有する操作ボタン３２が、ネジ３３により取り付けられている。また、このシリンダ３１は、操作ボタン３２が取り付けられた状態で、コイルスプリング３４の付勢力により、シリンダ３１がスイッチ本体３０から押し上げられるかたちで該スイッチ本体３０に係止されている。
【００５１】
スイッチ本体３０には、隣接するかたちでフォトインタラプタ３５及び反射型フォトインタラプタ３６が設けられている。これに対応してシリンダ３１の下部には、シリンダ３１が押し込み操作された際に、フォトインタラプタ３５の発光板３５ａと受光板３５ｂとの間に挿入されることで発光板３５ａからの光を遮光する遮光板３７と、シリンダ３１の押し込み量に応じて反射型フォトインタラプタ３６からの光を反射する反射板３８とが設けられている。
【００５２】
反射型フォトインタラプタ３６は、光を発光する発光部と、前記反射板３８により反射されこの発光部からの光を受光する受光部とで構成されており、シリンダ３１の押し込み量に応じて変化する受光光量に応じた検出出力を制御回路（ＣＰＵ）に供給するようになっている。
【００５３】
（第１の実施の形態の外部装置の構成）
次に、図２は、前述の吸引スイッチの操作に応じて吸引を行う吸引系の外部装置のブロック図である。なお、この図２には、送気及び送水を行う送気送水系も合わせて図示されている（送気送水系は、後に第２の実施の形態として説明する。）。また、この図２では、気体や排液等の流れるラインは実線で、制御信号等が伝送される信号ラインは点線で示してある。
【００５４】
この図２において、外部装置の吸引系は、吸引を行う吸引器４６と、内視鏡スコープの吸引管路を介して吸引された排液等の吸引制御を行うための電磁制御式の弁である吸引用弁４７と、吸引管内を大気にリークして吸引量を調整するためのリーク弁４８と、送気用弁４３、送水用弁４５、吸引用弁４７及び各リーク弁４４、４８を開閉制御するＣＰＵ４９とを有している。
【００５５】
（吸引ユニットの構成）
図２では、吸引用弁４７及びリーク弁４８を別の弁として描いたのであるが、この各弁４７、４８は吸引ユニットとして一体化されて形成されている。図３（ａ）〜図３（ｃ）に、この吸引ユニットの断面図、上面図及び側面図を示す。まず、図３（ａ）において、この吸引ユニットは、取り付け基板６０上に設けられた回転部６１と、取り付け基板６０下に設けられたモータ６２とを有している。
【００５６】
回転部６１は、ユニットカバー６３と、このユニットカバー６３上から突出するように設けられたスコープ用接続管路６５及び吸引用接続管路６４とを有している。このスコープ用接続管路６５には、内視鏡スコープからの吸引管が接続され、吸引用接続管路６４には、吸引器４６からの吸引管が接続されるようになっている。従って、内視鏡スコープの吸引管により吸引された排液等は、この吸引ユニットを介して吸引器４６により吸引されるようになっている。
【００５７】
ユニットカバー６３の吸引用接続管路６４側の側面部には、図３（ｂ）、（ｃ）に示すように複数のリーク孔４８ａを有するリーク弁４８が設けられている。また、ユニットカバー６３内には、スコープ用接続管路６５、吸引用接続管路６４及びリーク弁４８の開閉量を調整する回転バルブ６６が設けられている。この回転バルブ６６は、前記モータ６２の回転軸６２ａに取り付けられており、図３（ｂ）に示すように上面が扇形状となっている。そして、モータ６２の回転に応じて回転することで、前記開閉量の調整を行うようになっている。
【００５８】
（第１の実施の形態の動作）
次に、このような構成を有する当該第１の実施の形態の内視鏡装置の動作説明をする。
【００５９】
（吸引動作）
図１に示す電気スイッチは、１段目の押し込み操作で吸引が開始され、２段目以降の押し込み操作でこの押し込み操作量に応じて吸引量が調整されるようになっている。具体的には、操作者は、吸引を行う場合、図１に示す操作ボタン３２を１段階分押し込み操作する。操作ボタン３２がこのように１段階分押し込み操作されると、これと共にシリンダ３１に設けられた遮光板３７が押し込まれ、フォトインタラプタ３５の発光板３５ａと受光板３５ｂとの間に挿入される。フォトインタラプタ３５の受光出力は、遮光板３７が挿入されるまでは発光板３５ａからの光が受光板３５ｂにより受光されているためハイレベルなのであるが、遮光板３７が挿入されると、発光板３５ａからの光がこの遮光板３７により遮光されるためローレベルとなる。
【００６０】
図２に示すＣＰＵ４９には、このフォトインタラプタ３５からの受光出力が供給されており、ＣＰＵ４９は、この受光出力がハイレベルからローレベルとなると、吸引用弁４７を開成制御する。これにより、内視鏡スコープから吸引器４６までの吸引管路が連通することとなる。
【００６１】
次に、図１に示す操作ボタン３２をさらに押し込み操作すると、この押し込み量に対応してシリンダ３１に設けられた反射板３８が下降する。この反射板３８は、反射型フォトインタラプタ３６から照射された光を反射しており、反射型フォトインタラプタ３６はこの反射板３８により反射された光を受光している。このため、反射型フォトインタラプタ３６で受光される光の光量は、反射板３８の下降位置、すなわち、操作ボタン３２の押し込み操作量に応じて変化することとなる。
【００６２】
図２に示すＣＰＵ４９には、この反射型フォトインタラプタ３６からの受光出力が供給されている。ＣＰＵ４９は、非吸引時には吸引管路と大気とのリーク量が最大になるようにリーク弁４８を開成制御しているのであるが、吸引が開始されると、前記反射型フォトインタラプタ３６からの受光出力のレベルに応じて徐々にリーク弁４８を閉成制御する。これにより、操作ボタン３２の押し込み量に応じて前記吸引管路と大気とのリーク量が徐々に少なくなり、徐々に吸引力が強くなるように吸引制御を行うことができる。
【００６３】
（吸引ユニットの動作）
次に、図４（ａ）〜（ｄ）を用いて図３に示した吸引ユニットの機械的動作を説明する。図４（ａ）〜（ｄ）は、吸引ユニットを前記モータ６２側（底面側）から見た図であり、それぞれ非吸引時、吸引開始時、吸引量調整時及び吸引量最大時における回転バルブ６６の動作位置を示している。
【００６４】
まず、非吸引時には、図４（ａ）に示すようにリーク弁４８の各リーク孔４８ａが全て開成された状態となっている。この状態で、操作ボタン３２が１段階分押し込み操作されると、ＣＰＵ４９は、フォトインタラプタ３５からの受光出力がローレベルとなったことを検出し、図４（ｂ）に示すようにスコープ用接続管路６５及び吸引用接続管路６４を連通させるように、モータ６２を介して回転バルブ６６を回転制御する。これにより、内視鏡スコープから吸引器４６までの吸引管路が当該吸引ユニットを介して連通することとなる。
【００６５】
次に、操作ボタン３２が１段階分の押し込み操作からさらに押し込み操作されると、ＣＰＵ４９は、反射型フォトインタラプタ３６からの受光出力のレベルに応じて、例えば図４（ｃ）に示すようにリーク弁４８のリーク孔４８ａを所定分閉成するように、モータ６２を介して回転バルブ６６を回転制御する。これにより、操作ボタン３２の押し込み操作量に対応する数のリーク孔４８ａ（リーク孔の開口度）が閉成制御され、吸引量が徐々に大きくなる方向に吸引量が調整されることとなる。
【００６６】
次に、操作ボタン３２がさらに押し込み操作されると、ＣＰＵ４９は、反射型フォトインタラプタ３６からの受光出力のレベルに応じて、図４（ｄ）に示すようにリーク弁４８のリーク孔４８ａを全て閉成するように、モータ６２を介して回転バルブ６６を回転制御する。これにより、操作ボタン３２の押し込み操作量に対応してリーク孔４８ａが全て閉成制御され、最大の吸引量に吸引量が調整されることとなる。
【００６７】
（第１の実施の形態の効果）
以上の説明から明らかなように、当該第１の実施の形態の内視鏡装置は、図１に示す吸引操作用の電気スイッチの押し込み操作量に応じて吸引量を微調整することができる。このため、フリーズスイッチ等のその他のスイッチに干渉することなく吸引量を変える操作を行うことができる。
【００６８】
また、電気スイッチを採用しているため、メカバルブ方式のスイッチのように送気管路や送水管路をスイッチと一体的に形成する必要はなく、管路の洗浄性が向上し、機構の簡略化を通じて当該内視鏡装置の小型軽量化を図ることができる。
【００６９】
また、吸引用弁４７を全開にした後にリーク孔の開口量を制御しているため、適切な吸引量を得ることができる。
【００７０】
また、吸引ユニットは、モータ６２を介して回転バルブ６６を回転制御する構成、すなわち、共通の駆動制御部で吸引管路とリーク路の開口度を制御しているため、簡単な制御で吸引量の微調整を行うことができるうえ、吸引ユニット自体を小型化することができる。このため、外部装置の小型化に大きく貢献することができる。
【００７１】
［第２の実施の形態］
次に、本発明の第２の実施の形態の内視鏡装置の説明をする。この第２の実施の形態の内視鏡装置には、その操作部に、送気、送水を行うための送気送水スイッチとして図５に示すような電気スイッチが設けられている。
【００７２】
（送気送水スイッチの構成）
図５は、この送気送水スイッチの断面図なのであるが、この図５において、当該送気送水スイッチは、スイッチ本体１００内にシリンダ１０１を挿入係合させることで形成されている。シリンダ１０１の上端部には、断面略Ｔの字状のフランジ構造を有する送気ボタン１０２が、ネジ１０３により取り付けられている。また、このシリンダ１０１は、送気ボタン１０２が取り付けられた状態で、コイルスプリング１０４の付勢力により、シリンダ１０１がスイッチ本体１００から押し上げられるかたちで該スイッチ本体１００に係止されている。
【００７３】
また、スイッチ本体１００には、断面略Ｈの字状の送水ボタン１０５が設けられている。この送水ボタン１０５は、送気ボタン１０２が押し込み操作された際に、該送気ボタン１０２の略半分が隠れる程度の孔部１０６を有している。また、この送水ボタン１０５は、スイッチ本体１００に設けられたフランジ部１００ａ及びコイルスプリング１０７の付勢力により、スイッチ本体１００から押し上げられるかたちで該スイッチ本体１００に係止されている。
【００７４】
スイッチ本体１００には、シリンダ１０１の押し込み方向に沿って送気用フォトインタラプタ１６１及び送水用フォトインタラプタ１６２が積層されるかたちで設けられている。これに対応してシリンダ１０１の下部には、送気ボタン１０２が押し込み操作された際に、送気用フォトインタラプタ１６１の発光板１６１ａと受光板１６１ｂとの間に挿入されることで発光板１６１ａからの光を遮光し、送水ボタン１０５が押し込み操作された際に、送水用フォトインタラプタ１６２の発光板１６２ａと受光板１６２ｂとの間に挿入されることで発光板１６２ａからの光を遮光する遮光板１６０が設けられている。各フォトインタラプタ１６１、１６２の各受光板１６１ｂ、１６２ｂの各受光出力は、それぞれ前記図２に示すＣＰＵ４９に供給されるようになっている。
【００７５】
また、スイッチ本体１００には、各フォトインタラプタ１６１、１６２に隣接して反射型フォトインタラプタ１６５が設けられている。この反射型フォトインタラプタ１６５は、シリンダ１０１の底面部に設けられた反射板１６３と、この反射板１６３に対して光を照射し、反射された光を受光するフォトカプラ１６４とで構成されている。フォトカプラ１６４は、前記送気ボタン１０２の押し込み操作量に応じて変化する受光光量の変化を検出し、この検出出力を前記図２に示すＣＰＵ４９に供給するようになっている。
【００７６】
（第２の実施の形態の外部装置の構成）
次に、このような送気送水スイッチの操作に応じて当該内視鏡装置に送気及び送水を行う外部装置の送気送水系は、前記吸引系と共に図２に示したように送気管４１を介して気体を送気するポンプ４０と、送水用の水が蓄えられている送液ボトル４２と、送気管４１に挿入接続された電磁制御式の弁である送気用弁４３と、送気管４１を介して送気される気体を大気にリークして送気量を調整するためのリーク弁４４と、送液ボトル４２からの水の送水制御を行う送水用弁４５とを有している。
【００７７】
送気用のリーク弁４４と送気用弁４３は、図３及び図４に示した回転バルブ６６を用いた吸引ユニットと同じ構成の送気ユニットとなっており、前記送気送水スイッチの操作に応じて開閉制御されるようになっている。この場合、図３に示したリーク弁４８はリーク弁４４に、また、スコープ用接続管路６５及び吸引用接続管路６４は、スコープ用接続管路７４及び送気用接続管路７５となる。そして、スコープ用接続管路７４には、内視鏡スコープからの送気管が接続され、送気用接続管路７５には、図２に示すポンプ４０からの送気管が接続されることとなる。以下に説明するが、当該送気ユニットは、非送気時には、ポンプ４０から送気される気体をリーク弁４４を介して大気にリークし、送気時には、ポンプ４０から送気される気体のリーク量を調整することにより、送気量を調整するようになっている。
【００７８】
（第２の実施の形態の動作）
次に、このような構成を有する当該第２の実施の形態の内視鏡装置の動作説明をする。
【００７９】
（送気動作）
図５に示す送気送水スイッチを操作して送気を行う場合、操作者は、まず、送気ボタン１０２を、フランジ底面部１０４ａが送水ボタン１０５の孔部１０６の底面部１０５ａに当接しない程度に所定分押し込み操作する。この押し込み操作がなされると、遮光板１６０が下降し、送気用フォトインタラプタ１６１の発光板１６１ａと受光板１６１ｂとの間に挿入され、それまで発光板１６１ａから受光板１６１ｂに照射されていた光を遮光する。送気ボタン１０２の非操作時には、送気用フォトインタラプタ１６１の光は遮光されていないため、送気用フォトインタラプタ１６１から図２に示すＣＰＵ４９に対して例えばハイレベルの受光出力が供給されているのであるが、送気ボタン１０２が押し込み操作されることで、発光板１６１ａから受光板１６１ｂに照射されていた光が遮光されると、ＣＰＵ４９に供給される受光出力がローレベルとなる。
【００８０】
ＣＰＵ４９は、送気用フォトインタラプタ１６１からローレベルの受光出力が供給されると、図２に示す送気用弁４３を開成制御する。この際、リーク弁４４は全開に開成制御されており、ポンプ４０から送気された全ての気体がリーク弁４４を介して大気にリークされる。このため、送気用弁４３を介して内視鏡スコープ側に送気が行われることはなく、当該内視鏡装置はいわば送気スタンバイ状態となる。
【００８１】
次に、操作者は、図５に示す送気ボタン１０２をさらに押し込み操作する。送気ボタン１０２がさらに押し込み操作されると、送気用フォトインタラプタ１６１は遮光された状態のままで、反射型フォトインタラプタ１６４の検出出力が変化する。すなわち、送気ボタン１０２がさらに押し込み操作されることで、反射板１６３の位置と共に反射率が変化し、反射型フォトカプラ１６４の受光光量が変化する。ＣＰＵ４９は、この反射型フォトカプラ１６４の受光光量の検出出力の変化を検出し、この検出出力に応じてリーク弁４４を徐々に閉成する方向に制御する。そして、送気ボタン１０２のフランジ底面部１０４ａが送水ボタン１０５の孔部１０６の底面部１０５ａに当接したことを示す前記反射型フォトカプラ１６４からの検出出力が供給された際に、リーク弁４４を完全に閉成制御する。これにより、送気ボタン１０２の押し込み操作量に応じてポンプ４０から送気された気体のリーク量を徐々に少なくすることができ、該送気ボタン１０２の押し込み操作量に応じて送気量を多くすることができる。そして、送気ボタン１０２のフランジ底面部１０４ａが送水ボタン１０５の孔部１０６の底面部１０５ａに当接した際には、ポンプ４０から送気された全ての気体を内視鏡スコープの先端部から送気することができる。
【００８２】
（送水動作）
次に、送水を行う場合、操作者は、前記送気ボタン１０２のフランジ底面部１０４ａが送水ボタン１０５の孔部１０６の底面部１０５ａに当接した状態から、送気ボタン１０５のフランジ底面部１０５ｂが、スイッチ本体１００のフランジ部１００ａに当接するまでさらに押し込み操作を行う。この押し込み操作がなされると、送気用フォトインタラプタ１６１を遮光していた遮光板１６０がさらに下降し、送水用フォトインタラプタ１６２の発光板１６２ａと受光板１６２ｂとの間に挿入され、それまで発光板１６２ａから受光板１６２ｂに照射されていた光を遮光する。これにより、送水用フォトインタラプタ１６２からＣＰＵ４９に供給される受光出力がローレベルとなる。
【００８３】
ＣＰＵ４９は、送水用フォトインタラプタ１６２からローレベルの受光出力が供給されると、送気用弁４３及びリーク弁４４をそれぞれ閉成制御すると共に、図２に示す送水用弁４５を全開に開成制御する。これにより、ポンプ４０からの気体が液体ポンプ４２内に送気され内部の気圧が向上し、液体ポンプ４２内の水が送水用弁４５を介して内視鏡スコープの送水管に送水され、先端部の洗浄等が行われることとなる。
【００８４】
（第２の実施の形態の効果）
以上の説明から明らかなように、当該第２の実施の形態の内視鏡装置は、送気用フォトインタラプタ１６１及び反射型フォトインタラプタ１６５により、送気ボタン１０２の押し込み操作量に応じて送気量を微調整することができ、また、送水用フォトインタラプタ１６２により送水ボタン１０５の押し込み操作をトリガとして送水を行うことができる。このため、機構の簡略化を通じて当該内視鏡装置の小型軽量化を図ることができる等、上述の第１の実施の形態と同様の効果を得ることができる。
【００８５】
［第３の実施の形態］
次に、本発明の第３の実施の形態の内視鏡装置の説明をする。上述の第１、第２の実施の形態の内視鏡装置は、回転バルブ６６を用いて吸引量或いは送気量を調整する吸引ユニット或いは送気ユニットを設けたものであったが、この第３の実施の形態の内視鏡装置は、図６（ａ）〜（ｃ）、図７（ａ）〜（ｃ）に示すような回転ローラ８０を用いて吸引量或いは送気量を調整する吸引ユニット或いは送気ユニットを設けたものである。
【００８６】
なお、上述の各実施の形態と当該第３の実施の形態とでは、この吸引ユニット及び送気ユニットの構成のみ異なるため、吸引ユニットを例に説明を行い、重複説明を省略することとする。
【００８７】
（第３の実施の形態の吸引ユニットの構成）
まず、図６（ａ）はこの吸引ユニットを下面側（底面部側）から見た図、同図（ｂ）はこの吸引ユニットを一方向から見た断面図、同図（ｃ）はこの吸引ユニットを他方向から見た断面図である。そして、この図６（ａ）〜（ｃ）は、非吸引時における吸引ユニットの状態を示している。この図６（ａ）〜（ｃ）において、回転ローラ８０は、支持棒８１の両端部にリーク用ローラ８２及び吸引用ローラ８３を設けて形成されている。支持棒８１の中間部は、モータ８４の回転軸に固定されており、支持棒８１は、モータ８４の回転に連れて回転するようになっている。
【００８８】
また、この吸引ユニットは、回転ローラ８０のリーク用ローラ８２及び吸引用ローラ８３の回転軌道に沿ってリーク用チューブ８６及び各吸引用チューブ８７がそれぞれ設けられている。また、回転ローラ８０、リーク用チューブ８６及び各吸引用チューブ８７等はユニットカバー８８により覆われている。ユニットカバー８８には、リーク用チューブ８６及び各吸引用チューブ８７の一端に相当する部分に、内視鏡スコープの吸引管に接続されるスコープ用接続管路８９が設けられ、リーク用チューブ８６及び吸引用チューブ８７の他端に相当する部分に、吸引器４６に接続される吸引用接続管路９０がそれぞれ設けられている。
【００８９】
なお、送気ユニットの場合は、前記スコープ用接続管路８９が内視鏡スコープの接続管に、また、前記吸引用接続管路９０が送気管を介してポンプに接続されることとなる。
【００９０】
また、このユニットカバー８８には、図６（ｂ）に示すように回転ローラ８０が回転制御された際に、リーク用ローラ８２によりリーク用チューブ８６が押し潰され閉成制御されるように略くの字状に屈曲されたリークチューブ用押圧板９５と、同図（ｃ）に示すように回転ローラ８０が回転制御された際に、吸引用ローラ８３により吸引用チューブ８７が押し潰され閉成制御されるように略くの字状に屈曲された吸引チューブ用押圧板９６とが設けられている。この各押圧板９５、９６は、図６（ａ）に示すようにそれぞれ各チューブ８６、８７の他端側（吸引用接続管路９０側）に設けられている。従って、回転ローラ８０の回転制御に応じて、リーク用ローラ８２或いは吸引用ローラ８３により、チューブ８６、８７のうちいずれかが押圧されるようになっている。
【００９１】
リーク用チューブ８６の一端部は、図６（ｂ）に示すように大気にリークされたリーク管９１に接続されており、他端部は、接続管９２を介して前記吸引用接続管路９０に接続されている。吸引用チューブ８７の一端部は、図６（ｃ）に示すように接続管９３を介して前記スコープ用接続管路８９に接続されており、他端部は、接続管９４を介して前記吸引用接続管路９０に接続されている。従って、リーク用チューブ８６が開放状態となっているときには吸引器４６と大気とがリークされ内視鏡スコープからの吸引は行われず、このリーク用チューブ８６が閉鎖状態とされた際に吸引器４６と内視鏡スコープの吸引管とが吸引用接続管路９０を介して連通し吸引が行われるようになっている。
【００９２】
（非吸引時の動作）
次に、このような構成を有する吸引ユニットは、非吸引時（図１に示す吸引スイッチの操作ボタン３２が押し込み操作されない状態）には図６（ａ）〜（ｃ）に示す状態となっている。すなわち、この非吸引時には、図６（ａ）に示すようにリーク用ローラ８２がリーク用チューブ８６の一端側（スコープ用接続管路８９側）に位置し、吸引用ローラ８３が吸引用チューブ８７の他端側（吸引用接続管路９０側）に位置するように、ＣＰＵ４９により回転ローラ８０が回転制御される。上述のように、リーク用チューブ８６下のスコープ用接続管路８９側及び吸引用チューブ８７下のスコープ用接続管路８９側には、リークチューブ用押圧板９５及び吸引チューブ用押圧板９６がそれぞれ設けられている。
【００９３】
このため、このように回転ローラ８０が回転制御されると、図６（ｂ）に示すようにリーク用ローラ８２及びリークチューブ用押圧板９５によってリーク用チューブ８６は押圧されず、該リーク用チューブ８６は開放状態となる。これに対して、吸引用チューブ８７は、図６（ｃ）に示すように吸引用ローラ８３及び吸引チューブ用押圧板９６によって押圧され閉鎖状態となる。
【００９４】
上述のように、リーク用チューブ８６の一端部は、図６（ｂ）に示すように大気にリークされたリーク管９１に接続されており、他端部は、接続管９２を介して前記吸引用接続管路９０に接続されている。また、吸引用チューブ８７の一端部は、図６（ｃ）に示すように接続管９３を介して前記スコープ用接続管路８９に接続されており、他端部は、接続管９４を介して前記吸引用接続管路９０に接続されている。従って、リーク用チューブ８６がこのように開放状態に制御されると、吸引器４６と大気とがリークされ内視鏡スコープは非吸引状態に制御されることとなる。
【００９５】
（吸引時の動作）
次に、図７（ａ）はこの吸引ユニットを下面側（底面部側）から見た図、同図（ｂ）はこの吸引ユニットを一方向から見た断面図、同図（ｃ）はこの吸引ユニットを他方向から見た断面図である。そして、この図７（ａ）〜（ｃ）は、吸引量を最大に制御した吸引時における吸引ユニットの状態を示している。
【００９６】
操作者は、吸引を行う場合、図１に示す吸引スイッチの操作ボタン３２を押し込み操作する。ＣＰＵ４９は、この操作ボタン３２の操作量に応じて、図７（ａ）に示すようにリーク用ローラ８２がリーク用チューブ８６の他端側（吸引用接続管路９０側）に位置し、吸引用ローラ８３が吸引用チューブ８７の一端側（スコープ用接続管路８９側）に位置するように回転ローラ８０を回転制御する。上述のように、リーク用チューブ８６下のスコープ用接続管路８９側及び吸引用チューブ８７下のスコープ用接続管路８９側には、リークチューブ用押圧板９５及び吸引チューブ用押圧板９６がそれぞれ設けられている。
【００９７】
このため、このように回転ローラ８０が回転制御されると、図７（ｂ）に示すようにリーク用ローラ８２及びリークチューブ用押圧板９５によってリーク用チューブ８６が押圧され、該リーク用チューブ８６は、操作ボタン３２の操作量に応じて徐々に閉鎖状態となる。これに対して、吸引用チューブ８７は、吸引用ローラ８３及び吸引チューブ用押圧板９６による押圧が、操作ボタン３２の操作量に応じて徐々に開放され、図７（ｃ）に示すように開放状態となる。
【００９８】
上述のように、リーク用チューブ８６の一端部は、図７（ｂ）に示すように大気にリークされたリーク管９１に接続されており、他端部は、接続管９２を介して前記吸引用接続管路９０に接続されている。また、吸引用チューブ８７の一端部は、図７（ｃ）に示すように接続管９３を介して前記スコープ用接続管路８９に接続されており、他端部は、接続管９４を介して前記吸引用接続管路９０に接続されている。従って、リーク用チューブ８６がこのように閉鎖状態に制御されると、吸引器４６と大気とのリーク量が操作ボタン３２の操作量に応じて徐々に低減すると共に、吸引器４６と内視鏡スコープの吸引管との連通量が操作ボタン３２の操作量に応じて徐々に大きくなり、内視鏡スコープは吸引状態に制御されることとなる。
【００９９】
（第３の実施の形態の効果）
以上の説明から明らかなように、このような吸引ユニットは、回転ローラ８０を回転制御する構成であるため、簡単な制御で吸引量の微調整を行うことができる。また、吸引ユニット自体を小型化することができ、外部装置の小型化に貢献することができる。また、吸引ユニットが汚れた場合は、吸引用チューブ８７のみ、或いはリーク用チューブ８６及び吸引用チューブ８７を交換するだけでよいため衛生的である。さらには、この吸引ユニットは、ユニット化されたものであるため、汚れた場合にはユニット自体を交換するようにしてもよく非常に衛生的である。
【０１００】
［第４の実施の形態］
次に、本発明の第４の実施の形態の内視鏡装置の説明をする。
【０１０１】
本発明の第４の実施の形態の内視鏡装置は、操作部に設けられる電気スイッチとして図８に示すような送気送水スイッチを有している。
【０１０２】
（第４の実施の形態の送気送水スイッチの構成）
この図８は、送気送水スイッチの断面図なのであるが、この図８において、当該送気スイッチは、スイッチ本体１００内にシリンダ１０１を挿入係合させることで形成されている。シリンダ１０１の上端部には、断面略Ｔの字状のフランジ構造を有する送気スイッチ１０２が、ネジ１０３により取り付けられている。また、このシリンダ１０１は、送気スイッチ１０２が取り付けられた状態で、コイルスプリング１０４の付勢力により、シリンダ１０１がスイッチ本体１００から押し上げられるかたちで該スイッチ本体１００に係止されている。
【０１０３】
また、スイッチ本体１００には、断面略Ｈの字状の送水スイッチ１０５が設けられている。この送水スイッチ１０５は、送気スイッチ１０２が押し込み操作された際に、該送気スイッチ１０２の略半分が隠れる程度の孔部１０６を有している。また、この送水スイッチ１０５は、スイッチ本体１００に設けられたフランジ部１００ａ及びコイルスプリング１０７の付勢力により、スイッチ本体１００から押し上げられるかたちで該スイッチ本体１００に係止されている。
【０１０４】
スイッチ本体１００には、隣接するかたちで第１、第２のフォトインタラプタ１０８、１０９がそれぞれ設けられている。これに対応してシリンダ１０１の下部には、送気スイッチ１０２が押し込み操作された際に、第１のフォトインタラプタ１０８の発光板１０８ａと受光板１０８ｂとの間に挿入されることで発光板１０８ａからの光を遮光する第１の遮光板１１０と、送水スイッチ１０５が押し込み操作された際に、第２のフォトインタラプタ１０９の発光板１０９ａと受光板１０９ｂとの間に挿入されることで発光板１０９ａからの光を遮光する第２の遮光板１１１とが設けられている。
【０１０５】
各遮光板１１０、１１１は、図９に示すように第２の遮光板１１１よりも第１の遮光板１１１の方が長めに形成されている。第２の遮光板１１１は、孔部等を有さない板形状を有しているのであるが、第１の遮光板１１０には、切り欠き孔１１０ａが設けられている。後に説明するが、この切り欠き孔１１０ａは、送水操作の際に第１のフォトインタラプタ１０８の遮光を解除するものである。
【０１０６】
（第４の実施の形態の外部装置の構成）
次に、図１０は、このような送気送水スイッチの操作に応じて当該内視鏡装置に送気及び送水を行う外部装置のブロック図である。なお、この図１０では、気体や液体等が流れるラインは実線で、また、制御信号等が伝送される信号ラインは点線で示してある。この図１０において、外部装置は、送気管を介して気体を送気するポンプ１２０と、送水用の水が蓄えられている送液ボトル１２４と、送気管に挿入接続された電磁制御式の弁である送気用弁１２１と、送気管を介して送気される気体を大気にリークして送気量を調整するためのリーク弁１２２と、送液ボトル１２４からの水の送水制御を行う送水用弁１２３とを有している。
【０１０７】
なお、送気用のリーク弁１２２と送気用弁１２１の代わりに、図３、図４、或いは図６、図７に示した回転バルブ６６或いは回転ローラ８０を用いた吸引ユニットを採用してもよい。
【０１０８】
（第４の実施の形態の動作）
次に、このような構成を有する当該第４の実施の形態の内視鏡装置の動作説明をする。
【０１０９】
（送気動作）
まず、図８に示す送気送水スイッチを操作して送気を行う場合、操作者は、送気スイッチ１０２のフランジ底面部１０４ａが送水スイッチ１０５の孔部１０６の底面部１０５ａに当接までの押し込み操作を１ストローク分の押し込み操作として、略半ストローク分、送気スイッチ１０２を押し込み操作する。このように送気スイッチ１０２の略半ストローク分の押し込み操作がなされると、シリンダ１０１に設けられている第１、第２の遮光板１１０、１１１が下降する。この送気スイッチ１０２が押し込み操作される前（非操作時）は、図１１（ａ）に示すように前記各遮光板１１０、１１１により各フォトインタラプタ１０８、１０９の光が遮光されることはないのであるが、送気スイッチ１０２が略半ストローク分押し込み操作されると、同図（ｂ）に示すように第１の遮光板１１０により第１のフォトインタラプタ１０８の光が遮光される。なお、この段階では、第２のフォトインタラプタ１０９の光は遮光されない。
【０１１０】
各操作ボタン１０２、１０５の非操作時には、フォトインタラプタ１０８、１０９の光は遮光されていないため、各フォトインタラプタ１０８、１０９から図１０に示すＣＰＵ１２８に対してそれぞれハイレベルの受光出力が供給されているのであるが、送気スイッチ１０２の１段分の押し込み操作がなされ、第１のフォトインタラプタ１０８の光が遮光されると、この第１のフォトインタラプタ１０８からＣＰＵ１２８に供給される受光出力がローレベルとなる。
【０１１１】
ＣＰＵ１２８は、第１のフォトインタラプタ１０８からローレベルの受光出力が供給され、第２のフォトインタラプタ１０９からハイレベルの受光出力が供給されると、送気スイッチ１０２の略半ストローク分の押し込み操作がなされたものと認識し、送気用弁１２１を全開に開成制御すると共に、リーク弁１２２を所定分開成制御する。これにより、ポンプ１２０からの気体が所定分、リーク弁１２２を介して大気にリークされ、残りの気体が送気用弁１２１を介して内視鏡スコープ側に送気される。このため、内視鏡スコープの先端部からは弱い（少ない）送気が行われることとなる。
【０１１２】
次に、操作者は、図８に示す送気スイッチ１０２のフランジ底面部１０４ａが送水スイッチ１０５の孔部１０６の底面部１０５ａに当接までの押し込み操作である１ストローク分の押し込み操作を行う。この１ストローク分の押し込み操作がなされると、シリンダ１０１に設けられている第１、第２の遮光板１１０、１１１がさらに下降し、図１１（ｃ）に示すように第１の遮光板１１０により第１のフォトインタラプタ１０８の光が遮光されると共に、第２の遮光板１１１により第２のフォトインタラプタ１０９の光が遮光される。これにより、図１０に示すＣＰＵ１２８には、各フォトインタラプタ１０８、１０９からそれぞれローレベルの受光出力が供給されることとなる。
【０１１３】
ＣＰＵ１２８は、各フォトインタラプタ１０８、１０９からそれぞれローレベルの受光出力が供給されると、リーク弁１２２を完全に閉成制御する。これにより、リーク弁１２２を介して行われていた大気へのリークが遮断され、ポンプ１２０からの全ての気体が送気用弁１２１を介して内視鏡スコープ側に供給される。このため、内視鏡スコープの先端部からは、強い（多い）送気が行われることとなる。
【０１１４】
（送水動作）
次に、送水を行う場合、操作者は、図８に示す送気スイッチ１０２を１ストローク分押し込み操作した状態で、さらに送気スイッチ１０２を押し込み操作する。これにより、送気スイッチ１０２と共に送水スイッチ１０５が押し込まれ、送水スイッチ１０５のフランジ底面部１０５ｂが、スイッチ本体１００のフランジ部１００ａに当接した状態となる。そして、これに連れてシリンダ１０１に設けられた各遮光板１１０、１１１がさらに下降する。
【０１１５】
ここで、第１の遮光板１１０には、図９に示したように切り欠き孔１１０ａが設けられている。このため、第１、第２の操作ボタン１０２、１０５のさらなる押し込み操作が行われると、図１１（ｄ）に示すように第２のフォトインタラプタ１０９は第２の遮光板１０９により遮光された状態を維持するのであるが、第１のフォトインタラプタ１０８はこの第１の遮光板１１０に設けられた切り欠き孔１１０ａにより遮光状態が解除される。従って、この場合、図１０に示すＣＰＵ１２８に対して、第１のフォトインタラプタ１０８からハイレベルの受光出力が供給され、第２のフォトインタラプタ１０９からローレベルの受光出力が供給されることとなる。
【０１１６】
ＣＰＵ１２８は、このように第１のフォトインタラプタ１０８からハイレベルの受光出力が供給され、第２のフォトインタラプタ１０９からローレベルの受光出力が供給されると、送気用弁１２１及びリーク弁１２２を閉成制御すると共に送水用弁１２３を開成制御する。これにより、ポンプ１２０からの気体が液体ポンプ１２４内に送気され内部の気圧が向上し、液体ポンプ１２４内の水が送水用弁１２３ロータリーポンプ１７６、を介して内視鏡スコープの送水管に送水され、先端部の洗浄等が行われることとなる。
【０１１７】
（第４の実施の形態の効果）
以上の説明から明らかなように、当該第４の実施の形態の内視鏡装置は、電気スイッチである送気送水スイッチに設けられている送気スイッチ１０２を押し込み操作することで、この押し込み操作量に応じて強弱２段階に分けて送気を行うことができる。また、送気スイッチと共に送水スイッチ１０５を押し込み操作することで送水を行うことができる。このような内視鏡装置は、電気スイッチを採用しているため、メカバルブ方式の内視鏡装置のように送気管路や送水管路をスイッチと一体的に形成する必要はなく、機構の簡略化を通じて当該内視鏡装置の小型軽量化を図ることができる。また、送気スイッチ１０２、或いは送水スイッチ１０５を押し込み操作しなければ送気用弁１２１及び送水用弁１２３は閉成制御された状態であるため、操作者の操作なく意図しない送気、送水が行われる不都合を防止することができ、当該内視鏡装置の安全性の向上を図ることができる他、上述の第１の実施の形態の内視鏡装置と同様の効果を得ることができる。
【０１１８】
［第５の実施の形態］
次に、本発明の第５の実施の形態の内視鏡装置の説明をする。この第５の実施の形態の内視鏡装置は、外部装置に設けられる吸引ユニット或いは送気ユニットとして、図３、図４及び図６、図７に示した吸引ユニット或いは送気ユニットの代わりに、図１２に示す構成のものが設けられている。なお、この第５の実施の形態の内視鏡装置は、この吸引ユニット或いは送気ユニット以外の部分は、上述の各実施の形態と同じ構成を有するため、以下、この差異の部分の説明のみ行い重複説明を省略することとする。また、当該第５の実施の形態の内視鏡装置に設けられている吸引ユニット及び送気ユニット共同じ構成及び動作を示すため、以下、代表して吸引ユニットの構成及び動作を説明し、送気ユニットの場合の構成及び動作は省略する。
【０１１９】
（第５の実施の形態の吸引ユニットの構成）
図１２（ａ）は当該変形例の吸引ユニットの断面図、図１２（ｂ）は当該変形例の吸引ユニットの上面図を示している。この図１２（ａ）において、この吸引ユニットは、取り付け基板６０上に設けられた回転部６１と、取り付け基板６０下に設けられたモータ６２とを有している。
【０１２０】
回転部６１は、ユニットカバー６３で被覆されている。このユニットカバー６３には、該ユニットカバー６３上から突出するように、スコープ用接続管路６５及び吸引用接続管路６４がそれぞれ設けられており、また、図１２（ｂ）に示すように各接続管路６４、６５と同一円周上に位置するように、該接続管路６４に隣接してリーク用孔１５２が設けられている。スコープ用接続管路６５には、内視鏡スコープからの吸引管が接続され、吸引用接続管路６４には、吸引器４６からの吸引管が接続されるようになっている。従って、内視鏡スコープの吸引管により吸引された排液等は、この吸引ユニットを介して吸引器４６により吸引されるようになっている。
【０１２１】
ユニットカバー６３内には、モータ６２の回転軸６２ａに取り付けられた回転バルブ１５０が設けられている。この回転バルブ１５０には、スコープ用接続管路６５、吸引用接続管路６４及びリーク用孔１５２の開閉量を調整するための回転溝１５１が設けられている。具体的には、この回転溝１５１は、図１２（ｂ）に示すようにスコープ用接続管路６５、吸引用接続管路６４及びリーク用孔１５２が設けられた円周に沿って設けられており、一端部１５１ａが吸引用接続管路６４の略直径分の幅を有し、他端部１５１ｂの幅が徐々に細くなり終端に至るように形成されている。また、他端部１５１ｂは、図１２（ｃ）に示すようにその深さが終端にかけて徐々に浅くなるように形成されている。そして、以下に説明するが、他端部１５１ｂにより、リーク用孔１５２と吸引用接続管路６４との接続状態（吸引器４６と大気とのリーク量）を調整することで、吸引量の調整を行うようになっている。
【０１２２】
（第５の実施の形態の吸引ユニットの動作）
次に、このような構成を有する当該第５の実施の形態の内視鏡装置に設けられている吸引ユニットの動作説明をする。図１３（ａ）〜（ｄ）は、当該吸引ユニットを前記ユニットカバー６３の上面側から見た図であり、それぞれ非吸引時、吸引開始時、吸引量調整時及び吸引量最大時における回転バルブ１５０の動作位置を示している。
【０１２３】
まず、非吸引時には、図１３（ａ）に示すように回転溝１５１の一端部１５１ａが吸引用接続管路６４に掛かることの無い位置に回転バルブ１５０が回転制御される。この状態では、吸引用接続管路６４とリーク用孔１５２とが、回転溝１５１を介して接続されることがないため、スコープ用接続管路６５を介して吸引が行われることはない。
【０１２４】
次に、この状態で、図１に示した電気スイッチの操作ボタン３２が１段階分押し込み操作されると、ＣＰＵ４９は、フォトインタラプタ３５からの受光出力がローレベルとなったことを検出し、図１３（ｂ）に示すように回転溝１５１の一端部１５１ａが吸引用接続管路６４に掛かる位置に回転バルブ１５０を回転制御する。この状態となると、スコープ用接続管路６５と吸引用接続管路６４とが回転溝１５１を介して接続されるのであるが、同時に、吸引用接続管路６４とリーク用孔１５２とが回転溝１５１を介して接続されることとなるため、スコープ用接続管路６５を介して吸引が行われることはない（吸引開始時：吸引スタンバイ状態）。
【０１２５】
次に、操作ボタン３２が１段階からさらに押し込み操作されると、ＣＰＵ４９は、反射型フォトインタラプタ３６からの受光出力のレベルに応じて、例えば図１３（ｃ）に示すようにリーク用孔１５２に掛かる回転溝１５１の他端部１５１ｂの掛かり量を調整するように回転バルブ１５０を回転制御する。すなわち、前述のようにこの回転溝１５１の他端部１５１ｂは、その幅が徐々に細くなりながら終端に至る形状を有している。このため、回転バルブ１５０の回転位置を制御することで、吸引用接続管路６４とリーク用孔１５２との接続量（リーク量）を調整することが可能となる。ＣＰＵ４９は、操作ボタン３２の２段階分以降の押し込み操作量に応じて回転バルブ１５０の回転位置を制御することで、この吸引用接続管路６４とリーク用孔１５２との接続量（リーク量）の調整を行う。これにより、操作ボタン３２の前記押し込み操作量に対応して吸引用接続管路６４とリーク用孔１５２との接続量が徐々に少なくなる方向に回転バルブ１５０が回転制御される。そして、吸引用接続管路６４とリーク用孔１５２との接続量が徐々に少なくなることで、スコープ用接続管路６５と吸引用接続管路６４との接続量が徐々に多くなり、スコープ用接続管路６５を介した吸引量が徐々に多くなるように調整されることとなる。
【０１２６】
次に、操作ボタン３２がさらに押し込み操作されると、ＣＰＵ４９は、反射型フォトインタラプタ３６からの受光出力のレベルに応じて、図１３（ｄ）に示すようにリーク用孔１５２に回転溝１５１の他端部１５１ｂが掛からない位置まで回転バルブ１５０を回転制御する。これにより、吸引用接続管路６４とリーク用孔１５２との接続が遮断され、スコープ用接続管路６５と吸引用接続管路６４とが大気にリークされることなく完全に接続されることとなる。従って、吸引量は最大となり、スコープ用接続管路６５を介して廃液等の吸引が行われることとなる。
【０１２７】
（第５の実施の形態の効果）
以上の説明から明らかなように、当該第５の実施の形態の内視鏡装置は、電気スイッチである操作ボタン３２の押し込み操作量に応じて、吸引ユニットの回転溝１５０の回転位置を制御することで、吸引量の調整を行うことができる。これにより、操作ボタン３２の押し込み操作量に応じて吸引量を微調整することができる等、上述の第１の実施の形態の内視鏡装置と同じ効果を得ることができる。
【０１２８】
［第６の実施の形態］
次に、本発明の第６の実施の形態の内視鏡装置の説明をする。この第６の実施の形態の内視鏡装置は、第２の実施の形態の変形例としての送気送水スイッチを有している。
【０１２９】
（第６の実施の形態の送気送水スイッチの構成）
まず、この図１４は、当該第６の実施の形態の送気送水スイッチの断面図なのであるが、この図１４において、当該送気送水スイッチは、スイッチ本体１内にシリンダ２を挿入係合させることで形成されている。シリンダ２の上端部に相当する操作部２ａは断面略Ｔの字状のフランジ構造を有しており、コイルスプリング３の付勢力により、シリンダ２がスイッチ本体１から押し上げられるかたちで該スイッチ本体１に係止されている。
【０１３０】
スイッチ本体１には、その下部に、シリンダ２の挿入方向と直行する方向に貫通するかたちで、後述する第１のポンプからの気体が送気される送気管４が設けられており、この送気管４の反送気側の一端部４ａに圧力センサ７が設けられている。シリンダ２には、その下部に、スイッチ本体１の送気管４を介した気体が流入する送気用孔５が設けられている。また、シリンダ２には、操作部２ａから送気用孔５に連通するリーク孔６が設けられている。このリーク孔６は、操作者の指で開成量（リーク孔６を塞ぐ量）が調整されるようになっており、前記圧力センサ７は、リーク孔６の開成量が調整されることで変化する送気用孔５内（及び送気管４内）の気圧を検出し、この検出出力を制御回路（ＣＰＵ）に供給するようになっている。
【０１３１】
また、スイッチ本体１には、その底面部にフォトインタラプタ８が設けられている。このフォトインタラプタ８において、図１４中、点線の丸印は、当該フォトインタラプタ８の光源８ａを示している。フォトインタラプタ８は、送光部の光源８ａから出射された光を受光部で受光してその受光出力を前記制御回路に供給するようになっている。シリンダ２の底面部には、このフォトインタラプタ８に対応して遮光板９が設けられている。この遮光板９は、フォトインタラプタ８の前記送光板と受光板との間に挿入されるかたちで設けられており、シリンダ２の非押し込み操作時には光源８ａからの光を遮光せず、シリンダ２の押し込み操作時に光源８ａからの光を遮光するようになっている。このため、フォトインタラプタ８は、シリンダ２の操作状態に応じた受光出力を前記ＣＰＵに供給することとなる。
【０１３２】
（第６の実施の形態の外部装置の構成）
次に、図１５は、このような送気送水スイッチの操作に応じて当該内視鏡装置に送気送水を行う外部装置のブロック図である。この図１５において、外部装置は、送気管１７を介して前記スイッチ本体１の送気管４に送気を行うための第１のポンプ１５と、内視鏡スコープに送気送水を行うための第２のポンプ１６とを有している。すなわち、この外部装置には、いわば送気送水スイッチ用の第１のポンプ１５と、内視鏡スコープ用の第２のポンプ１６との計２つのポンプが設けられている。なお、第２のポンプ１６からの気体をスイッチ本体１の送気管４に送気するようにして、送気送水スイッチと内視鏡スコープとで一つのポンプを共用するようにしてもよい。
【０１３３】
また、この外部装置は、送水用の水が蓄えられている送液ボトル２０と、第２のポンプ１６に接続された送気管１８に挿入接続された電磁制御式の弁である送気用弁２１を有している。送気管１８は、送液ボトル２０内にも導かれており、この分岐路である分岐管２２には挿入接続されるかたちで、送液ボトル２０内に送気した気体の逆戻りを防止する逆止弁２３が設けられている。
【０１３４】
送液ボトル２０には、前記分岐管２２の他に、送液ボトル２０内の水を送水するための送水管１９が設けられている。この送水管１９は、内視鏡スコープの送水管路に接続されており、前記送気管１８と同様に、電磁制御式の弁である送水用弁２４が挿入接続のかたちで設けられている。
【０１３５】
また、この外部装置には、制御回路２５（ＣＰＵ）が設けられている。このＣＰＵ２５は、前述の電気スイッチに設けられているフォトインタラプタ８からの受光出力、及び圧力センサ７からの検出出力に応じて送気用弁２１及び送水用弁２４を開閉制御するようになっている。
【０１３６】
（第６の実施の形態の動作）
次に、このような構成を有する当該第６の実施の形態の内視鏡装置の動作説明をする。
【０１３７】
（送気動作）
まず、図１４に示す送気送水スイッチを操作して送気を行う場合、操作者は、シリンダ２を押し込み操作することなくリーク孔６を指で塞ぐ。このリーク孔６の塞ぎ具合は、完全に塞ぐ他、例えばリーク孔６の半分を塞ぎ、或いはリーク孔６の１／３程度を塞ぐ等のように、以下に説明する送気量に応じて操作者が可変することとなる。
【０１３８】
図１５に示す第１のポンプ１５から送気された気体は、スイッチ本体１の送気管４及びリーク孔６を介して大気にリークされているのであるが、リーク孔６が指で塞がれると、この大気へのリークが阻止され、リーク孔６の塞ぎ具合に応じて送気用孔５の気圧が上がることとなる。圧力センサ７は、この気圧の変化を検出し、この検出出力を図２に示すＣＰＵ２５に供給する。ＣＰＵ２５は、圧力センサ７からの検出出力に応じて、リーク弁の開成具合を制御する。これにより、リーク孔６の塞ぎ具合に応じた送気量の気体が、第２のポンプ１６から送気用弁２１を介して内視鏡スコープから送気されることとなる。
【０１３９】
（送水動作）
次に、図１４に示す送気送水スイッチを操作して送水を行う場合、操作者は、シリンダ２を押し込み操作する。このシリンダ２の押し込み操作は、コイルスプリング３の付勢力に逆らい、シリンダ２のフランジ端部２ｂが、スイッチ本体１の階段状の当接面部１ａに当接するまで行われる。この押し込み操作がなされると、図１４中白抜きの矢印で示すようにシリンダ２の下部に設けられた遮光板９が下降し、フォトインタラプタ８の送光板と受光板との間に挿入され、光源８ａからの光を遮光する。
【０１４０】
このシリンダ２の押し込み操作がなされるまでは、光源８ａからの光が受光板により受光され、例えばハイレベルの受光出力がＣＰＵ２５に供給されているのであるが、シリンダ２が押し込み操作され光源８ａからの光が遮光されると、受光板の受光レベルはローレベルとなり、このローレベルの受光出力がＣＰＵ２５に供給されるようになる。ＣＰＵ２５は、ハイレベルの受光出力が供給されている間は、電磁制御式の弁である送水用弁２４を閉成制御しているのであるが、ローレベルの受光出力が供給されると送水用弁２４を開成制御する。
【０１４１】
（逆止弁の説明）
ここで、第２のポンプから送気された気体は、前記送気用弁２１側に送気される他、逆止弁２３を介して液体ポンプ２０内にも送気される。この逆止弁２３は、気体の逆戻りを防止しており、液体ポンプ２０内の気圧を常時一定の気圧に維持している。このため、ＣＰＵ２５により送水用弁２４が開成制御された際には、液体ポンプ２０内の水が、送水管１９及び送水用弁２４を介して内視鏡スコープ側に送水されることとなる。この送水は、液体ポンプ２０内の気圧が常時一定の気圧に維持されていることから、一定の水圧で行われることとなる。
【０１４２】
図１６中点線は、逆止弁２３が設けられておらず液体ポンプ２０内の気圧が一定の気圧に維持されていない従来の外部装置の送水特性を示すグラフであり、図１６中実線は、逆止弁２３が設けられており液体ポンプ２０内の気圧が一定の気圧に維持されている当該実施の形態の内視鏡装置の外部装置の送水特性を示すグラフであるが、この各グラフから分かるように、従来、徐々に増すように変化した送水量が、逆止弁２３を設けることで、瞬時に一定の送水量となることがわかる。
【０１４３】
（第６の実施の形態の効果）
以上の説明から明らかなように、当該第６の実施の形態の内視鏡装置は、電気スイッチに設けられているリーク孔６の塞ぎ具合を調整することで、送気量を微調整することができる。このリーク孔６を塞ぐという操作は、従来のメカバルブ方式の内視鏡装置の送気操作と同じ操作である。このため、当該内視鏡装置は、電気スイッチでありながら、メカバルブ方式の内視鏡装置と同じ操作で送気量を調整することができる。従って、従来のメカバルブ方式の内視鏡装置の操作に慣れているユーザでも、違和感なく当該内視鏡装置を操作することを可能とすることができる。
【０１４４】
また、電気スイッチを採用しているため、メカバルブ方式の内視鏡装置のように送気管路や送水管路をスイッチと一体的に形成する必要はなく、機構の簡略化を通じて当該内視鏡装置の小型化を図ることができる。
【０１４５】
また、リーク孔６の塞ぎ具合に応じた送気用孔５の気圧の変化に応じて送気用弁２１の開成具合を制御しているため、リーク孔６の塞ぎ具合を調整することで所望の送気量の送気を行うことができる。
【０１４６】
また、リーク孔６を塞ぐことがなければ送気用弁２１は閉成制御された状態であり、また、シリンダ２を押し込み操作しなければ送水用弁２４は閉成制御された状態である。すなわち、操作者の意図的な操作がない場合は、送気用弁２１及び送水用弁２４は共に閉成制御されているため、操作者が意図しない送気送水が行われる不都合を防止することができ、当該内視鏡装置の安全性の向上を図ることができる。
【０１４７】
また、液体ポンプ２０内の気圧は、逆止弁２３により常時一定の気圧に維持されているため、操作者の操作に即座に反応して応答性良く送水を行うことができる。
【０１４８】
［第７の実施の形態］
次に、本発明の第７の実施の形態の内視鏡装置の説明をする。通常、内視鏡装置の送気用及び送水用のポンプは外部装置の内部に設けられているものなのであるが、この構成であると、必然的に送水管路も外部装置の内部に設けられることとなるため、該送水管路の洗浄を行う場合は、外部装置の一部を取り外し、装置内部の送水管路を取り出して洗浄・消毒を行う必要があり大変面倒である。
【０１４９】
この第７の実施の形態の内視鏡装置は、送水系を外部装置の外部に設けることで、送水管路等を簡単に洗浄・消毒可能としたものである。なお、この第９の実施の形態として説明する技術的思想は全ての実施の形態の内視鏡装置に適用可能であることは勿論である。
【０１５０】
（第７の実施の形態の構成）
すなわち、この第７の実施の形態の内視鏡装置は、図１７に示すように外部装置と内視鏡スコープとの接続を図るコネクタ部１７４と、外部装置内に設けられた、送気用ポンプ１７０、送気用弁１７１、送気用ポンプ１７０及び送気用弁１７１の間に設けられた第１の送気管路１７２、送気用弁１７１及びコネクタ部１７４の間に設けられた第２の送気管路１７３と、外部装置外に設けられた、送液ボトル１７５、送水用のロータリーポンプ１７６、送液ボトル１７５及びロータリーポンプ１７６の間に設けられた第１の送水管路１７７、ロータリーポンプ１７６及びコネクタ部１７４の間に設けられた第２の送水管路１７８とを有している。
【０１５１】
（第７の実施の形態の動作）
このような第７の実施の形態の内視鏡装置は、送水を行う場合、ロータリーポンプ１７６が、第１の送水管路１７７を介して送液ボトル１７５に貯水された水を吸い上げ、これを第２の送水管路１７８を介してコネクタ部１７４に送水する。
【０１５２】
なお、送気を行う場合は、送気用ポンプ１７０から、第１の送気管路１７２、送気用弁１７１及び第２の送気管路１７３を介してコネクタ部１７４に送気が行われる。これにより、コネクタ部１７４を介して内視鏡スコープに送気及び送水が行われ、該内視鏡スコープの先端部から送気及び送水が行われることとなる。
【０１５３】
（第７の実施の形態の効果）
当該第７の実施の形態の内視鏡装置は、送液ボトル１７５、送水用のロータリーポンプ１７６、第１の送水管路１７７及び第２の送水管路１７８からなる送水系が外部装置の外側に設けられている。このため、第１の送水管路１７７及び第２の送水管路１７８等の洗浄・消毒は外部装置の外から行うことができ、該洗浄・消毒の際に外部装置の一部を取り外す等の面倒な手間を省略することができる。また、このように送水系を簡単に洗浄・消毒することができるため、適時洗浄・消毒作業を実行することができ、非常に衛生的な内視鏡装置を提供することができる。
【０１５４】
（第７の実施の形態の変形例）
次に、以上説明した第７の実施の形態の内視鏡装置は、送水専用のロータリーポンプ１７６を設けることとしたが、これは、送気用のポンプを併用するようにしてもよい。この場合の構成は、図１８に示すようになる。この図１８は、上述の第４の実施の形態の内視鏡装置に設けられている外部装置に、当該第７の実施の形態の変形例の技術的思想を適用した例なのであるが、この図１８からわかるように、この場合、外部装置内に設けられたポンプ１２０と送気用弁１２１とを接続する送気管路１８０から分岐する分岐管路１８１を設け、この分岐管路１８１を、外部装置の外側に設けられた送液ボトル１２４に接続する。そして、この送液ボトル１２４に別に設けられた第１の送水管路１８２を、同じく外部装置の外側に設けられた送水用弁１２３に接続し、該送水用弁１２３とコネクタ部１７４とを第２の送水管路１８３で接続する。
【０１５５】
このような変形例の内視鏡装置は、ポンプ１２０から送気された空気が分岐管路１８１を介して送液ボトル１２４に給気されると、送液ボトル１２４内の圧力が上がり、送液ボトル１２４内の液体（水等）が第１の送水管路１８２、送水用弁１２３及び第２の送水管路１８３を介してコネクタ部１７４に供給される。なお、この送水用弁１２３は、上述のようにＣＰＵ１２８により開閉制御される（或いは、操作者が手動で開閉操作してもよい。）。
【０１５６】
このような変形例の外部装置の構成としても、送水系が外部装置の外側に設けられているため、送水系の洗浄・消毒を容易化することができ、上述の第７の実施の形態の内視鏡装置と同じ効果を得ることができる。
【０１５７】
なお、この第７の実施の形態の変形例は、上述の第４の実施の形態の内視鏡装置に設けられている外部装置に当該第７の実施の形態の変形例の技術的思想を適用した例であったが、この技術的思想は、全部の実施の形態の内視鏡装置に適用可能であることは勿論である。
【０１５８】
［第８の実施の形態］
次に、本発明の第８の実施の形態の内視鏡装置の説明をする。上述の各実施の形態で説明したように、操作部に電気スイッチを設けることで該電気スイッチの押し込み操作量に応じた送気量及び吸引量の微調整が可能となるのであるが、この電気スイッチの操作量に対する操作者の送気量及び吸引量の感覚は、各操作者毎に異なるものである。言い換えれば、電気スイッチの操作量に対して期待する送気量及び吸引量は、各操作者毎に異なるものである。このため、当該第８の実施の形態の内視鏡装置は、電気スイッチの操作量と、送気量及び吸引量との所望の関係が選択可能となっている。
【０１５９】
（ユーザモードの説明）
すなわち、当該第８の実施の形態の内視鏡装置には、図２に示すようにモードメモリ５１が設けられている。このモードメモリ５１には、例えば図１９（ａ）〜（ｅ）に示すような、例えば図１に示した操作ボタン３２の押し込み操作量に対応する吸引量（又は送気量）の関係を選択可能な複数のユーザパターンが記憶されている。
【０１６０】
具体的には、図１９（ａ）は、操作ボタン３２の押し込み操作量に対応してリニアに吸引量が変化するユーザパターンを、同図（ｂ）は、最初は操作ボタン３２の押し込み操作量に対応してあまり吸引量を変化させず、さらに操作ボタン３２が押し込み操作された際に吸引量を大きく変化させるユーザパターンを、同図（ｃ）は、操作ボタン３２の押し込み操作量に対応して二次曲線的に吸引量が変化するユーザパターンを、同図（ｄ）は、最初は操作ボタン３２の押し込み操作量に対応してあまり吸引量を変化させず、さらに操作ボタン３２が押し込み操作された際に急激に吸引量を大きく変化させ、それ以降は最大吸引量を維持するユーザパターンを、そして、同図（ｅ）は、操作ボタン３２が最大近くまで押し込み操作された際に急激に吸引量を大きくするユーザパターンを示している。
【０１６１】
このようなユーザモードの選択は、図２に示すモード選択操作部５２を操作して行う。操作者により、このモード選択操作部５２を介してユーザモードの選択が指定されると、ＣＰＵ４９は、モードメモリ５１から前述の各ユーザパターンのグラフを読み出し、これをモニタ装置５０に表示制御する。操作者は、このモニタ装置５０に表示制御される各グラフを見て所望のユーザパターンを認識し、モード選択操作部５２を操作して所望のユーザパターンを選択する。
【０１６２】
ＣＰＵ４９は、操作者により選択されたユーザパターンを、その操作者と関連付けて記憶する。そして、次回、その操作者により当該内視鏡装置が操作された際に、操作ボタン３２の押し込み操作量に応じて、予め選択されたユーザパターンに従って吸引量が変化するように、上述の吸引ユニット（或いは送気ユニット）を制御する（図３、図４、図６、図７、図１２、図１３参照。）。
【０１６３】
（第８の実施の形態の効果）
これにより、操作ボタン３２の押し込み操作量に応じた各操作者が意図する吸引量或いは送気量に吸引ユニット或いは送気ユニットを調整することができ、当該内視鏡装置を、よりユーザに適した操作が可能なものとすることができる。
【０１６４】
［第９の実施の形態］
次に、本発明の第９の実施の形態の内視鏡装置の説明をする。上述の第８の実施の形態の内視鏡装置は、電気スイッチの操作量に対応させて、既存の送気量特性及び吸引量特性の中から所望の特性を選択して設定するものであったが、この第９の実施の形態の内視鏡装置は、電気スイッチの操作量に対応させて、送気量，送水量及び吸引量の各特性を所望の特性に設定可能としたものである。
【０１６５】
すなわち、電気スイッチの操作量は各操作者毎に感覚的に異なり、また、その操作量に対応して期待する送気量及び吸引量も各操作者毎に異なる。このため、当該第９の実施の形態の内視鏡装置には、送気量，送水量及び吸引量の各特性を所望の特性に設定する各設定モードを有している。
【０１６６】
例えば、送気量を設定する場合、操作者は、この送気量の設定モードを選択し、図２０（ａ）に示す電気スイッチ１９０を所望の操作量に押し込み操作し、所定時間、同じ操作量を維持する。この押し込み操作がなされると、ＣＰＵ１９１は、電気スイッチ１９０が同じ操作量に維持されている間、徐々に送気量が多くなるように送気用弁を制御する。操作者は、この徐々に多くなるように制御される送気量が所望の送気量となったタイミングで電気スイッチ１９０をオフ操作（押し込みを戻す操作）する。ＣＰＵ１９１は、電気スイッチ１９０がオフ操作されると、このときの送気量を、電気スイッチ１９０の操作量に対応させて特性メモリ１９２に記憶する。操作者は、このような設定操作を電気スイッチ１９０の各操作量毎に繰り返し行う。
【０１６７】
図２０（ｂ）は、このような設定操作により設定された電気スイッチの操作量に対応する送気量（及び送水量，吸引量）の特性を示す図である。この図２０は、電気スイッチ１９０の操作量が少ない場合は送気量が少なく、電気スイッチ１９０の操作量が多くなるに連れ徐々に送気量が多くなり、途中、操作量の多さに拘わらず送気量が略々一定となり、それ以上の操作量となった際に急に送気量が多くなるといった送気量の設定を示している。
【０１６８】
操作者は、このような設定操作を、送気量，送水量及び吸引量に分けて行う。これにより、図２０（ａ）に示す特性メモリ１９２には、電気スイッチ１９０の操作量に対応する送気量，送水量及び吸引量を示す各データがそれぞれ記憶されることとなる。
【０１６９】
また、ＣＰＵ１９１は、各モードの設定が終了すると、図２０に示すような設定された特性をモニタ装置に表示制御する。これにより、操作者は、モニタ装置を介して自分で設定した送気量特性等を認識することができ、特性の変更等を簡単に実行可能とすることができる。
【０１７０】
なお、この例では、実際に操作者が電気スイッチ１９０を実際に操作して各特性を設定することとしたが、これは、例えば図２０に示すようなグラフをモニタ装置に表示制御し、操作者がマウス装置等を用いてこのグラフの各操作量毎のレベルを変更操作（例えばドラッグ操作等）するようにしてもよい。これにより、実際に操作者が電気スイッチ１９０を操作することなく、モニタ装置上のみで前記各特性を設定可能とすることができる。
【０１７１】
次に、このようない各設定のデータが特性メモリ１９２に記憶されると、ＣＰＵ１９１は、実際に電気スイッチ１９０が操作された際に該スイッチ１９０の操作量を検出し、この操作量に対応するデータを特性メモリ１９２から読み出し、該操作量に対応する送気量，送水量及び吸引量となるように送気用弁，送水用弁及び吸引用弁をそれぞれ開閉制御する。
【０１７２】
これにより、各操作者の電気スイッチ１９０の操作量に対応して送気量，送水量及び吸引量を制御することができ、当該内視鏡装置の利便性の向上を図ることができる。
【０１７３】
なお、当該第９の実施の形態の内視鏡装置の技術的思想も上述の各実施の形態に全て適用可能であることを付け加えておく。
【０１７４】
［第１０の実施の形態］
次に、本発明の第１０の実施の形態の内視鏡装置の説明をする。図２１は、当該第１０の実施の形態の内視鏡装置の構成を説明するための概略図を示す。
【０１７５】
スコープ５５内には吸引、送気／送水、ＳＷl、ＳＷ２、ＳＷ３の操作スイッチが内蔵されており、各操作スイッチからの信号はスコープコネクタ５４の内部に備えられたスイッチ信号処理回路５３に入力される。このスイッチ信号処理回路５３に入力された各操作スイッチからのアナログ信号がデジタル信号に変換されて、時系列的に当該スイッチ信号処理回路５３からスコープコネクタ５４を介してシリアルデジタルデータの信号形態として内視鏡本体に入力される。
【０１７６】
スイッチ信号処理回路５３には各操作スイッチからの信号処理系のみならず、スコープ５５に関する情報を記憶したＲＯＭも設けられている。なお、スコープ５５に関する情報としては、例えばスコープ５５の色補正に関する情報、スコープ５５の識別ＩＤ、表示画面の電子マスクに関するデータ等が記憶されている。
【０１７７】
スイッチ信号処理回路５３は内視鏡本体のＣＰＵ４９からのクロックにより制御される。また、ＳＷl、ＳＷ２、ＳＷ３には、スコープ画像のフリーズ、写真撮影のコピー、ビデオプリンタのプリント等の各機能が各々に割り当てられる。どのスイッチにどの機能を割り当てるかは操作者の指示により自在に変更可能である。
【０１７８】
内視鏡本体ではスイッチ信号処理回路５３から時系列的に出力された各操作スイッチに係るシリアルデジタル信号を受信し、送気／送水ユニット、吸引可変ユニット、画像フリーズ回路、画像コピー回路、画像プリント回路等の動作制御を行う。画像フリーズ及び画像コピー等の動作モードはモード選択操作部５２において制御されており、この動作モードはモードメモリ５１に一旦保持され、ＣＰＵ４９に入力される。
【０１７９】
図２２は、当該第１０の実施の形態の内視鏡装置の他の構成を説明するための概略図である。この図２２に示す内視鏡装置と、前記図２１に示した内視鏡装置との相違点は、図２２に示されるスコープコネクタ５４の内部にフォトカプラ５６が新たに設けられている点であり、スコープ５５に設けられた操作スイッチからの各種制御信号や、送気／送水スイッチからの可変出力信号である送気／送水信号を光信号として伝送し、フォトカプラ５６にて受信するようになっている。この受信された信号は、内視鏡本体に設けられたＡ／Ｄコンバータによりデジタル化され、各操作スイッチの信号や連続的に可変する送気／送水信号として処理される。
【０１８０】
なお、スコープ５５に備わる送気／送水スイッチにおいては、例えばフォトインタラプタによるものであれば、その光出力をフォトトランジスタで受光するのではなく、直接的に光ファイバ等を介してフォトカプラ５３まで導くようにしてもよい。
【０１８１】
この光伝送によれば外来からの飛び込みノイズやその他の予期されないノイズに対して、本来の信号が影響されることがない。また頻繁な着脱や接触部分の汚れに対しても信頼性の高い接続手段が実現できるので、確実に内視鏡本体装置に信号が伝達される。
【０１８２】
図２３は、スイッチ信号処理回路５３のブロック図である。この図２３からわかるように、スイッチ信号処理回路５３にはスコープ５５の各操作スイッチからの信号が当該各スイッチ毎に並列的に供給されるようになっている。具体的には、スイッチ信号処理回路５３には、送気／送水、ＳＷl、ＳＷ２、ＳＷ３の各スイッチからのＯＮ／ＯＦＦ信号や、吸引スイッチからの吸引可変に応じた可変信号や吸引スイッチがオン操作されたか否かを示す信号が供給されるようになっている。
【０１８３】
なお、各操作スイッチとしては、例えばタクトスイッチ或いはフォトインタラプタによるスイッチ等を用いることができる。
【０１８４】
以下、吸引信号のスイッチとして、例えば反射型のフォトインタラプタによるスイッチが設けられていることとして説明を行うと、この吸引スイッチから出力された吸引可変アナログ信号は、スイッチ信号制御回路５３の内部に設けられたＡ／Ｄコンバータによりデジタル信号に変換された後にＰＬＤ（Programmable  Logic  Device）に供給される。このデジタル信号は、シリアル出力のデジタル信号であり、Ａ／Ｄコンバータの制御はＰＬＤから出力されたクロック（ＡＤＣＬＫ）により行なわれる。
【０１８５】
図２４は、スイッチ信号処理回路５３の動作を示すタイミングチャートである。この図２４からわかるように、ＳＳＷＣＫ及びＳＳＷＬＤは、図２１に示したスコープＳＷ制御信号である。ＣＴＲはカウンタ信号であり、ＳＳＷＲＤは図２１に示したＳＷ信号である。ＬＥＤは、例えば送気／送水スイッチにフォトインタラプタによるものを用いている場合の光源であり、ＧＮＤはスコープ５５全体のグランドラインを示している。また、ＳＵＣ Ａ／Ｄ ＣＬＫ、ＳＵＣ Ａ／Ｄ ＣＳ、ＳＵＣ Ａ／Ｄはそれぞれ順に吸引Ａ／Ｄのクロック、吸引Ａ／Ｄのチップ選択、吸引Ａ／Ｄのシリアルデジタル信号である。
【０１８６】
ＳＳＷＲＤには各操作スイッチからの操作信号が表現されており、例えば送気／送水スイッチは一方が下位ビット（ＡＷ０）、他の一方が上位ビット（ＡＷ１）に割り当てられ、各々のスイッチのＯＮ／ＯＦＦの組み合わせで、多段の送気／送水信号が出力されるようプログラムされている。また、ＳＳＷＲＤ中の（０）は意図しない値の電流検出クロックであり、Ｓ０〜Ｓ７は吸引の可変信号を表わしている。
【０１８７】
ＳＵＣ Ａ／Ｄには吸引Ａ／Ｄからのシリアルなデジタル信号が出力されるので吸引の操作が単に動作／非動作の切り替えを行う従来のものに比べて、連続的に可変するアナログ的な微調整が行える。
【０１８８】
各操作スイッチからパラレルに入力された各スイッチ信号はＰＬＤに入力し、ＰＬＤに書き込まれたプログラムに従って、本体からの制御により時系列的に配列されて１本の信号ラインに乗せられ、内視鏡本体に出力される。信号の配列の順番はＰＬＤプログラムの変更により、順序を変更して出力することが可能である。
【０１８９】
更に、ＰＬＤからはスイッチの電源系、及びグランド系の回路を制御する信号も出力されている。電源系のＯＮ／ＯＦＦ、グランド系のＯＮ／ＯＦＦ制御によりスイッチの断線等の非通常状態をＰＬＤ出力のスイッチ信号から検出することが可能である。この検出は、ＬＥＤ及びＧＮＤのＯＮ／ＯＦＦにより操作スイッチの機能に対する自己診断を行うことで実現される。このＯＮ／ＯＦＦ動作は、図２３にて示した電流検出部分を制御することで行われる。
【０１９０】
この自己診断機能によりＳＳＷＲＤのクロックの変化を監視しておき、所定の挙動を示さない場合には操作スイッチに何らかの予期されない不具合が生じているものと判断する。
【０１９１】
内視鏡装置本体は非通常状態を検出したら、スイッチに異常があることを示すメッセージをモニター上に表示し、吸引ユニット、送気／送水ユニット、フリーズ、コピー回路の動作を停止する等の制御を行い、スイッチ系の不具合により内視鏡装置本体が操作者の意図していない動作を行うことを防止する。
【０１９２】
また、操作スイッチ系の電源系に流れる所定値外電流を検出する電流検出回路を備えており、操作スイッチ系が予期しない不具合等を生じて所定値外電流が流れたときに、この所定値外電流の検出を検出信号として内視鏡装置本体に送る。内視鏡装置本体はこの所定値外電流信号を検出したら、所定値外電流の発生のメッセージを本体のモニター上に表示して、吸引ユニット、送気／送水ユニット、フリーズ、コピー回路の動作を停止する等の制御を行う。これにより、内視鏡装置本体が誤動作することを効果的に防止することができる。
【０１９３】
また、スコープと内視鏡装置本体をつなぐケーブル本数を増やすことなく機能増加ができ、スコープコネクタのピンの本数を増やさなくても多機能の内視鏡装置を提供することができる。また、操作スイッチの機能をプログラムにより自在に変更可能なので、操作者の所望するスイッチの機能設定ができ、使い勝手の良い内視鏡装置を提供することができる。さらに、ノイズに強い可変信号の出力ができるので、動作の信頼性が高い内視鏡装置を提供することができる。
【０１９４】
なお、当該第１０の実施の形態の内視鏡装置の技術的思想も上述の各実施の形態に全て適用可能であることを付け加えておく。
【０１９５】
［本発明の他の適用例］
最後に、上述の各実施の形態は、本発明のほんの一例である。このため、本発明は、上述の各実施の形態に限定されることはなく、本発明に係る技術的思想を逸脱しない範囲であれば、設計等に応じて種々の変更が可能であることは勿論である。
【０１９６】
【発明の効果】
本発明に係る内視鏡装置は、電気スイッチでありながら、ユーザが従来より慣れ親しんでいるメカバルブ方式の内視鏡装置の操作と同様の操作で操作可能とすることができる。また、操作性の向上を図ることができるうえ、応答性よく送気、送水、吸引を可能とすることができ、また、送気、送水、吸引の微調整を可能とすることができる。さらに、送水ボトルの内圧を一定に保持することができるため、断続的な送水操作時にも所定水圧の送水を可能とすることができ、スコープ先端部の洗浄性の向上を図ることができる。
【図面の簡単な説明】
【図１】本発明の第１の実施の形態の内視鏡装置に設けられている吸引スイッチの断面図である。
【図２】前記第１の実施の形態の内視鏡装置の外部装置のブロック図である。
【図３】前記第１の実施の形態の内視鏡装置の外部装置に設けられる吸引ユニットを示す図である。
【図４】前記吸引ユニットの吸引動作を説明するための図である。
【図５】本発明の第２の実施の形態の内視鏡装置に設けられている送気送水スイッチの断面図である。
【図６】本発明の第３の実施の形態の内視鏡装置の外部装置に設けられる吸引ユニットの吸引停止状態を示す図である。
【図７】本発明の第３の実施の形態の内視鏡装置の外部装置に設けられる吸引ユニットの吸引状態を示す図である。
【図８】本発明の第４の実施の形態の内視鏡装置に設けられる送気送水スイッチの断面図である。
【図９】前記第４の実施の形態の内視鏡装置の送気送水スイッチに設けられている２つのフォトインタラプタをそれぞれ遮光する遮光板を示す図である。
【図１０】前記第４の実施の形態の内視鏡装置の外部装置のブロック図である。
【図１１】前記第４の実施の形態の内視鏡装置の送気送水スイッチの操作に対応する各遮光板の遮光状態を示す図である。
【図１２】本発明の第５の実施の形態の内視鏡装置の外部装置に設けられる吸引ユニットを示す図である。
【図１３】前記第５の実施の形態の内視鏡装置の外部装置に設けられる吸引ユニットの吸引動作を説明するための図である。
【図１４】本発明の第６の実施の形態の内視鏡装置に設けられている送気送水スイッチの断面図である。
【図１５】前記第６の実施の形態の内視鏡装置の外部装置のブロック図である。
【図１６】前記第６の実施の形態の内視鏡装置の送水特性を示す図である。
【図１７】本発明の第７の実施の形態の内視鏡装置のブロック図である。
【図１８】前記第７の実施の形態の内視鏡装置の変形例のブロック図である。
【図１９】本発明の第８の実施の形態の内視鏡装置に設けられている電気スイッチの操作量に対応する吸引量、送気量、送水量の変化を所望の変化とするための各ユーザパターンを示す図である。
【図２０】本発明の第９の実施の形態の内視鏡装置の要部のブロック図、及びこの内視鏡装置に設けられている電気スイッチの所望の操作量に対応して割り付けられた吸引量、送気量、送水量を示す図である。
【図２１】本発明の第１０の実施の形態の内視鏡装置の構成を説明するための概略図である。
【図２２】前記第１０の実施の形態の内視鏡装置の他の構成を説明するための概略図である。
【図２３】前記第１０の実施の形態の内視鏡装置に設けられているスイッチ信号処理回路のブロック図である。
【図２４】前記第１０の実施の形態の内視鏡装置に設けられているスイッチ信号処理回路の動作を説明するためのタイミングチャートである。
【図２５】従来のメカバルブ方式の内視鏡装置のスイッチ部分の断面図である。
【図２６】従来の第１の弁体突入型の電気スイッチの断面図である。
【図２７】従来の第２の弁体突入型の電気スイッチの断面図である。
【図２８】従来の通気管連通型の電気スイッチの断面図である。
【図２９】従来の内視鏡装置の外部装置において、送水停止時にリーク弁を介して送液ボトル内の気体が大気とリークされることで、送液ボトルの内圧が降下する問題点を説明するための図である。
【符号の説明】
１…スイッチ本体、２…シリンダ、２ａ…操作部、３…コイルスプリング、４…送気管、５…送気用孔、６…リーク孔、７…圧力センサ、８…フォトインタラプタ、９…遮光板、１５…第１のポンプ、１６…第２のポンプ、２０…送液ボトル、２５…制御回路（ＣＰＵ）、２３…逆止弁、３０…スイッチ本体、３１…シリンダ、３２…操作ボタン、３３…ネジ、３５…フォトインタラプタ、３６…反射型フォトインタラプタ、３７…遮光板、３８…反射板、４２…送液ボトル、４３…送気用弁、４４、４８…リーク弁、４５…送水用弁、４６…吸引器、４７…吸引用弁、５１…モードメモリ、６６…回転バルブ、８０…回転ローラ、８２…リーク用ローラ、８３…吸引用ローラ、８６…リーク用チューブ、８７…吸引用チューブ、９５…リークチューブ用押圧板、９６…吸引チューブ用押圧板、１００…スイッチ本体、１０１…シリンダ、１０２…第１の操作ボタン、１０５…第２の操作ボタン、１０８…第１のフォトインタラプタ、１０９…第２のフォトインタラプタ、１１０…第１の遮光板、１１１…第２の遮光板、１２０…ポンプ、１２１…送気用弁、１２２…リーク弁、１２３…送水用弁、１２４…送液ボトル、１２５…吸引器、１２８…ＣＰＵ、１５０…回転バルブ、１５１…回転溝、１６１…送気用フォトインタラプタ、１６２…送水用フォトインタラプタ、１６５…反射型フォトインタラプタ、１７０…送気用ポンプ、１７１…送気用弁、１７２…第１の送気管、１７３…第２の送気管、１７４…コネクタ部、１７５…送液ボトル、１９０…電気スイッチ、１９１…ＣＰＵ、１９２…特性メモリ
【図１】
0004585058.tif 000002
【図２】
0004585058.tif 000003
【図３】
0004585058.tif 000004
【図４】
0004585058.tif 000005
【図５】
0004585058.tif 000006
【図６】
0004585058.tif 000007
【図７】
0004585058.tif 000008
【図８】
0004585058.tif 000009
【図９】
0004585058.tif 000010
【図１０】
0004585058.tif 000011
【図１１】
0004585058.tif 000012
【図１２】
0004585058.tif 000013
【図１３】
0004585058.tif 000014
【図１４】
0004585058.tif 000015
【図１５】
0004585058.tif 000016
【図１６】
0004585058.tif 000017
【図１７】
0004585058.tif 000018
【図１８】
0004585058.tif 000019
【図１９】
0004585058.tif 000020
【図２０】
0004585058.tif 000021
【図２１】
0004585058.tif 000022
【図２２】
0004585058.tif 000023
【図２３】
0004585058.tif 000024
【図２４】
0004585058.tif 000025
【図２５】
0004585058.tif 000026
【図２６】
0004585058.tif 000027
【図２７】
0004585058.tif 000028
【図２８】
0004585058.tif 000029
【図２９】
0004585058.tif 000030